(57)【要約】【課題】より多くの手書きストロークの記入を可能にし、そのストロークを表示することが可能なストローク表示システム及びそのプログラムを提供する。【解決手段】ストローク表示システムは、コンピュータ装置と、電子ペンと、複数のディスプレイとを備える。複数のディスプレイのうち、手に届く範囲のディスプレイには、電子ペンで読み取れるコード化パターンが印刷された透明フィルムが貼付され、そのディスプレイには、所定のマークが表示される。そして、コンピュータ装置は、電子ペンから送信される記入情報が、入力エリアへの入力を示す場合、当該記入情報に基づいて、手書きストロークをスライド画像に上書きして表示し、記入情報がマークへの入力を示す場合、スライド画像を異なるディスプレイの画面へ移動させる。【選択図】図１
2012073819.tif 000002
【特許請求の範囲】
【請求項１】
コンピュータ装置と、
前記コンピュータ装置と通信可能であり、コード化パターンを読取り、手書きストロークに関する記入情報を生成する電子ペンと、
前記コンピュータ装置に接続された複数のディスプレイとを備えるストローク表示システムであって、
前記複数のディスプレイの少なくとも一つには、コード化パターンが形成されており、
前記コンピュータ装置は、
各ディスプレイに、ストローク画面として、無地又は所定のデザインを有するスライド画像を表示するとともに、前記コード化パターンが形成されたディスプレイには、所定のマークを表示する処理手段と、
前記電子ペンから前記記入情報を受信する受信手段とを備え、
前記処理手段は、前記記入情報が前記ストローク画面への入力を示す場合、当該記入情報に基づいて、手書きストロークをスライド画像に上書きして表示し、
前記記入情報が前記マークへの入力を示す場合、表示中のストローク画面とは異なるストローク画面へ前記スライド画像を移動させることを特徴とするストローク表示システム。
【請求項２】
コンピュータ装置と、
前記コンピュータ装置と通信可能であり、コード化パターンを読取り、手書きストロークに関する記入情報を生成する電子ペンと、
コード化パターンと所定のマークとが印刷された指示媒体と、
前記コンピュータ装置に接続された複数のディスプレイとを備えるストローク表示システムであって、
前記複数のディスプレイの少なくとも一つには、コード化パターンが形成されており、
前記コンピュータ装置は、
各ディスプレイに、ストローク画面として、無地又は所定のデザインを有するスライド画像を表示する処理手段と、
前記電子ペンから前記記入情報を受信する受信手段とを備え、
前記処理手段は、前記記入情報が前記ストローク画面への入力を示す場合、当該記入情報に基づいて、手書きストロークをスライド画像に上書きして表示し、
前記記入情報が、前記指示媒体の前記マークへの入力を示す場合、表示中のストローク画面とは異なるストローク画面へ前記スライド画像を移動させることを特徴とするストローク表示システム。
【請求項３】
前記ストローク画面には、通し番号の画面番号が割り当てられ、
前記マークは、第１のマークと、第２のマークとに分類され、
前記処理手段は、前記入力情報が第１のマークへの入力を示す場合、前記画面番号が大きくなるストローク画面へ前記スライド画像の表示位置をそれぞれスライド移動させ、前記入力情報が第２のマークへの入力を示す場合、前記画面番号が小さくなるストローク画面へ前記スライド画像の表示位置をそれぞれスライド移動させることを特徴とする請求項１又は２に記載のストローク表示システム。
【請求項４】
前記スライド画像には、通し番号であるページ番号が付され、
前記処理手段は、全てのスライド画像を、ページ番号が視認される態様で表示させることを特徴とする請求項１乃至３のうちいずれか一項に記載のストローク表示システム。
【請求項５】
前記スライド画像は、通し番号であるページ番号が付され、
前記処理手段は、前記入力情報が第１のマークへの入力を示す場合であって、かつ、最も小さい画面番号のストローク画面に表示中のスライド画像のページ番号が最も後に付されたページ番号である場合、当該ページ番号の次のページ番号を付したスライド画像を生成して当該ストローク画面に表示させることを特徴とする請求項１乃至３のうちいずれか一項に記載のストローク表示システム。
【請求項６】
前記複数のディスプレイは、上下多段に配置されており、
前記処理手段は、前記記入情報が、前記マークへの入力を示す場合、表示中のストローク画面から、上方又は下方にあるストローク画面へ前記スライド画像を移動させることを特徴とする請求項１、２又は４に記載のストローク表示システム。
【請求項７】
コンピュータ装置と、前記コンピュータ装置と通信可能であり、コード化パターンを読取り、手書きストロークに関する記入情報を生成する電子ペンと、前記コンピュータ装置に接続された複数のディスプレイとを備えるストローク表示システムにおいて、前記複数のディスプレイの少なくとも一つには、コード化パターンが形成されているストローク表示システムにおける前記コンピュータ装置に搭載され実行されるプログラムであって、
各ディスプレイに、ストローク画面として、無地又は所定のデザインを有するスライド画像を表示するとともに、前記コード化パターンが形成されたディスプレイには、所定のマークを表示する処理手段と、
前記電子ペンから前記記入情報を受信する受信手段とを備える前記コンピュータ装置として機能させ、
前記処理手段は、前記記入情報が前記ストローク画面への入力を示す場合、当該記入情報に基づいて、手書きストロークをスライド画像に上書きして表示し、
前記記入情報が前記マークへの入力を示す場合、表示中のストローク画面とは異なるストローク画面へ前記スライド画像を移動させることを特徴とするプログラム。
【請求項８】
コンピュータ装置と、前記コンピュータ装置と通信可能であり、コード化パターンを読取り、手書きストロークに関する記入情報を生成する電子ペンと、コード化パターンと所定のマークとが印刷された指示媒体と、前記コンピュータ装置に接続された複数のディスプレイとを備えるストローク表示システムであって、前記複数のディスプレイの少なくとも一つには、コード化パターンが形成されているストローク表示システムに搭載され実行されるプログラムであって、
各ディスプレイに、ストローク画面として、無地又は所定のデザインを有するスライド画像を表示する処理手段と、
前記電子ペンから前記記入情報を受信する受信手段とを備える前記コンピュータ装置として機能させ、
前記処理手段は、前記記入情報が前記ストローク画面への入力を示す場合、当該記入情報に基づいて、手書きストロークをスライド画像に上書きして表示し、
前記記入情報が、前記指示媒体の前記マークへの入力を示す場合、表示中のストローク画面とは異なるストローク画面へ前記スライド画像を移動させることを特徴とするプログラム。
【請求項９】
前記ストローク画面には、通し番号の画面番号が割り当てられ、
前記マークは、第１のマークと、第２のマークとに分類され、
前記処理手段は、前記入力情報が第１のマークへの入力を示す場合、前記画面番号が大きくなるストローク画面へ前記スライド画像の表示位置をそれぞれスライド移動させ、前記入力情報が第２のマークへの入力を示す場合、前記画面番号が小さくなるストローク画面へ前記スライド画像の表示位置をそれぞれスライド移動させることを特徴とする請求項７又は８に記載のプログラム。
【請求項１０】
前記スライド画像には、通し番号であるページ番号が付され、
前記処理手段は、全てのスライド画像を、ページ番号が視認される態様で表示させることを特徴とする請求項７乃至９のうちいずれか一項に記載のプログラム。
【請求項１１】
前記スライド画像は、通し番号であるページ番号が付され、
前記処理手段は、前記入力情報が第１のマークへの入力を示す場合であって、かつ、最も小さい画面番号のストローク画面に表示中のスライド画像のページ番号が最も後に付されたページ番号である場合、当該ページ番号の次のページ番号を付したスライド画像を生成して当該ストローク画面に表示させることを特徴とする請求項７乃至９のいずれか一項に記載のプログラム。
【請求項１２】
前記複数のディスプレイは、上下多段に配置されており、
前記処理手段は、前記記入情報が、前記マークへの入力を示す場合、表示中のストローク画面から、上方又は下方にあるストローク画面へ前記スライド画像を移動させることを特徴とする請求項７、８又は１０に記載のプログラム。
【発明の詳細な説明】
【技術分野】
【０００１】
本発明は、電子ペンで読み取り可能なコード化パターンを利用したシステムに関する。
【背景技術】
【０００２】
近年、記入した情報を電子化する電子ペンが開発されており、その代表的なものとしてスウェーデンのＡｎｏｔｏ社が開発した「アノトペン（Ａｎｏｔｏ  ｐｅｎ）」が知られている。アノトペンは、所定のドットパターンが印刷された専用紙とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。ユーザが専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、ユーザが書き込んだ文字、画像などの記入情報が認識される。そして、この記入情報が、データ通信ユニットによりアノトペンから近くのパーソナルコンピュータや携帯電話などの端末装置に送信される（例えば、特許文献１参照）。
【０００３】
特許文献２には、会議やプレゼンテーション等に利用されるプレゼンテーションシステムにおいて、スクリーンの一部（左下）に記入されたストロークを、記入された部分に表示すると共に、他の部分（右上）に拡大して表示する技術が開示されている。また、近年、ソフトウェア開発等の作業効率化のため、コンピュータに複数のディスプレイを接続して、マルチディスプレイとして用いることも行われている。このとき、コンピュータに、画面配分するための専用機器を接続して、複数のディスプレイを接続したり、ビデオカードを用いることが知られている。
【先行技術文献】
【特許文献】
【０００４】
【特許文献１】特表２００３−５１１７６１号公報
【特許文献２】特開２００６−０１２０３９号公報
【発明の概要】
【発明が解決しようとする課題】
【０００５】
スクリーンにコード化パターンを印刷し、電子ペンから送信される記入情報に基づきスクリーンに投影した表示を更新するストローク表示システムにおいて、スクリーンが大型の場合にはユーザの手が届かず書き込みができない範囲が存在し、有効にスクリーンの表示面全体を活用できていない場合がある。そこで、本発明は、より多くの手書きストロークの記入を可能にし、そのストロークを表示することが可能なストローク表示システム及びそのプログラムを提供することを主な目的とする。
【課題を解決するための手段】
【０００６】
本発明に係るストローク表示システムは、コンピュータ装置と、前記コンピュータ装置と通信可能であり、コード化パターンを読取り、手書きストロークに関する記入情報を生成する電子ペンと、前記コンピュータ装置に接続された複数のディスプレイとを備えるストローク表示システムであって、
前記複数のディスプレイの少なくとも一つには、コード化パターンが形成されており、
前記コンピュータ装置は、各ディスプレイに、ストローク画面として、無地又は所定のデザインを有するスライド画像を表示するとともに、前記コード化パターンが形成されたディスプレイには、所定のマークを表示する処理手段と、前記電子ペンから前記記入情報を受信する受信手段とを備え、前記処理手段は、前記記入情報が前記ストローク画面への入力を示す場合、当該記入情報に基づいて、手書きストロークをスライド画像に上書きして表示し、前記記入情報が前記マークへの入力を示す場合、表示中のストローク画面とは異なるストローク画面へ前記スライド画像を移動させることを特徴とする。
【０００７】
この構成により、コンピュータ装置は、処理手段により、コンピュータ装置に接続された各ディスプレイに、ストローク画面として、無地又は所定のデザインを有するスライド画像を表示するとともに、コード化パターンが形成されたディスプレイには、所定のマークを表示する。そして、処理手段は、受信手段により受信した電子ペンからの記入情報が、ストローク画面への入力を示す場合には、当該記入情報に基づいて、手書きストロークをスライド画像に上書きして表示し、記入情報がマークへの入力を示す場合、表示中のストローク画面とは異なるストローク画面へ前記スライド画像を移動させる。このように、ストローク表示システムは、複数のディスプレイを用いて複数のストローク画面を表示させ、マークへの入力に基づきストローク画面に表示されるスライド画像を異なるディスプレイに渡って移動させることで、ユーザが書き込み可能なスペースを実質的に拡大すると共に、新しく書き込みされるスライド画像が表示されるストローク画面とは別のストローク画面に、書き込みがなされたスライド画像を引き続き表示させることができる。
【０００８】
または、本発明に係るストローク表示システムは、コンピュータ装置と、前記コンピュータ装置と通信可能であり、コード化パターンを読取り、手書きストロークに関する記入情報を生成する電子ペンと、コード化パターンと所定のマークとが印刷された指示媒体と、前記コンピュータ装置に接続された複数のディスプレイとを備えるストローク表示システムであって、
前記複数のディスプレイの少なくとも一つには、コード化パターンが形成されており、
前記コンピュータ装置は、各ディスプレイに、ストローク画面として、無地又は所定のデザインを有するスライド画像を表示する処理手段と、前記電子ペンから前記記入情報を受信する受信手段とを備え、前記処理手段は、前記記入情報が前記ストローク画面への入力を示す場合、当該記入情報に基づいて、手書きストロークをスライド画像に上書きして表示し、前記記入情報が、前記指示媒体の前記マークへの入力を示す場合、表示中のストローク画面とは異なるストローク画面へ前記スライド画像を移動させることを特徴とする。
【０００９】
この構成により、コンピュータ装置は、処理手段により、コンピュータ装置に接続された各ディスプレイに、ストローク画面として、無地又は所定のデザインを有するスライド画像を表示する。そして、処理手段は、受信手段により受信した電子ペンからの記入情報が、ストローク画面への入力を示す場合には、当該記入情報に基づいて、手書きストロークをスライド画像に上書きして表示し、記入情報が、指示媒体のマークへの入力を示す場合、表示中のストローク画面とは異なるストローク画面へ前記スライド画像を移動させる。このように、ストローク表示システムは、複数のディスプレイを用いて複数のストローク画面を表示させ、マークへの入力に基づきストローク画面に表示されるスライド画像を異なるディスプレイに渡って移動させることで、ユーザが書き込み可能なスペースを実質的に拡大すると共に、新しく書き込みされるスライド画像が表示されるストローク画面とは別のストローク画面に、書き込みがなされたスライド画像を引き続き表示させることができる。
【００１０】
上記ストローク表示システムにおいて、前記ストローク画面には、通し番号の画面番号が割り当てられ、前記マークは、第１のマークと、第２のマークとに分類され、前記処理手段は、前記入力情報が第１のマークへの入力を示す場合、前記画面番号が大きくなるストローク画面へ前記スライド画像の表示位置をそれぞれスライド移動させ、前記入力情報が第２のマークへの入力を示す場合、前記画面番号が小さくなるストローク画面へ前記スライド画像の表示位置をそれぞれスライド移動させるようにするとよい。この構成では、ストローク表示システムは、第１のマーク及び第２のマークへの電子ペンによる入力に基づき、画面番号が大きくなるストローク画面の方向及び画面番号が小さくなるストローク画面の方向のいずれの方向にもスライド画像の表示位置をスライド移動させることができる。
【００１１】
また、上記ストローク表示システムにおいては、前記スライド画像は、通し番号であるページ番号が付され、前記処理手段は、全てのスライド画像を、ページ番号が視認される態様で表示させるようにしてもよい。これにより、ストローク表示システムは、全スライド画像のページ番号を表示してユーザの操作性を向上させることができる。
【００１２】
さらには、上記ストローク表示システムにおいて、前記スライド画像は、通し番号であるページ番号が付され、前記処理手段は、前記入力情報が第１のマークへの入力を示す場合であって、かつ、最も小さい画面番号のストローク画面に表示中のスライド画像のページ番号が最も後に付されたページ番号である場合、当該ページ番号の次のページ番号を付したスライド画像を生成して当該ストローク画面に表示させるようにするとよい。これにより、ストローク表示システムは、円滑に新規のスライド画像を生成し、当該スライド画像にページ番号を付すことができる。
【００１３】
あるいは、上記ストローク表示システムにおいて、前記複数のディスプレイは、上下多段に配置されており、
前記処理手段は、前記記入情報が、前記マークへの入力を示す場合、表示中のストローク画面から、上方又は下方にあるストローク画面へ前記スライド画像を移動させるようにしてもよい。この構成により、上下多段に配置された複数のディスプレイを用いて複数のストローク画面を表示させ、マークへの入力に基づきストローク画面に表示されるスライド画像を上下方向移動させることで、ディスプレイから離れた者にも、ストローク画面を見やすくすることができる。
【００１４】
また、本発明に係るプログラムは、コンピュータ装置と、前記コンピュータ装置と通信可能であり、コード化パターンを読取り、手書きストロークに関する記入情報を生成する電子ペンと、前記コンピュータ装置に接続された複数のディスプレイとを備えるストローク表示システムにおいて、前記複数のディスプレイの少なくとも一つには、コード化パターンが形成されているストローク表示システムにおける前記コンピュータ装置に搭載され実行されるプログラムであって、
各ディスプレイに、ストローク画面として、無地又は所定のデザインを有するスライド画像を表示するとともに、前記コード化パターンが形成されたディスプレイには、所定のマークを表示する処理手段と、前記電子ペンから前記記入情報を受信する受信手段とを備える前記コンピュータ装置として機能させ、
前記処理手段は、前記記入情報が前記ストローク画面への入力を示す場合、当該記入情報に基づいて、手書きストロークをスライド画像に上書きして表示し、前記記入情報が前記マークへの入力を示す場合、表示中のストローク画面とは異なるストローク画面へ前記スライド画像を移動させることを特徴とする。
【００１５】
または、本発明に係るプログラムは、コンピュータ装置と、前記コンピュータ装置と通信可能であり、コード化パターンを読取り、手書きストロークに関する記入情報を生成する電子ペンと、コード化パターンと所定のマークとが印刷された指示媒体と、前記コンピュータ装置に接続された複数のディスプレイとを備えるストローク表示システムであって、前記複数のディスプレイの少なくとも一つには、コード化パターンが形成されているストローク表示システムに搭載され実行されるプログラムであって、
各ディスプレイに、ストローク画面として、無地又は所定のデザインを有するスライド画像を表示する処理手段と、前記電子ペンから前記記入情報を受信する受信手段とを備える前記コンピュータ装置として機能させ、
前記処理手段は、前記記入情報が前記ストローク画面への入力を示す場合、当該記入情報に基づいて、手書きストロークをスライド画像に上書きして表示し、前記記入情報が、前記指示媒体の前記マークへの入力を示す場合、表示中のストローク画面とは異なるストローク画面へ前記スライド画像を移動させることを特徴とする。
【００１６】
上記プログラムにおいて、前記ストローク画面には、通し番号の画面番号が割り当てられ、前記マークは、第１のマークと、第２のマークとに分類され、前記処理手段は、前記入力情報が第１のマークへの入力を示す場合、前記画面番号が大きくなるストローク画面へ前記スライド画像の表示位置をそれぞれスライド移動させ、前記入力情報が第２のマークへの入力を示す場合、前記画面番号が小さくなるストローク画面へ前記スライド画像の表示位置をそれぞれスライド移動させるようにしてもよい。
【００１７】
または上記プログラムにおいて、前記スライド画像には、通し番号であるページ番号が付され、前記処理手段は、全てのスライド画像を、ページ番号が視認される態様で表示させるようにしてもよい。
【００１８】
あるいは上記プログラムにおいて、前記スライド画像は、通し番号であるページ番号が付され、前記処理手段は、前記入力情報が第１のマークへの入力を示す場合であって、かつ、最も小さい画面番号のストローク画面に表示中のスライド画像のページ番号が最も後に付されたページ番号である場合、当該ページ番号の次のページ番号を付したスライド画像を生成して当該ストローク画面に表示させるようにするとよい。
【００１９】
また、上記プログラムにおいて、前記複数のディスプレイは、上下多段に配置されており、前記処理手段は、前記記入情報が、前記マークへの入力を示す場合、表示中のストローク画面から、上方又は下方にあるストローク画面へ前記スライド画像を移動させるようにしてもよい。
【００２０】
これらのプログラムをコンピュータ装置にインストールして機能させることで、本発明に係るストローク表示システムを構成させることができる。
【発明の効果】
【００２１】
本発明によれば、ストローク表示システムは、複数のディスプレイを用いて複数のストローク画面を表示すると共に、ストローク画面へ記入された手書きストロークを当該ストローク画面に表示中のスライド画像に上書きし、マークへの入力があった場合にはストローク画面に表示されるスライド画像を移動させることにより、ユーザが書き込み可能なスペースを実質的に拡大すると共に、書き込みがなされたスライド画像を引き続き表示させることができる。
【図面の簡単な説明】
【００２２】
【図１】第１実施形態におけるストローク表示システムのシステム構成図である。
【図２】ドットパターンにおけるドットの配置と変換される値との関係を示す説明図である。
【図３】（ａ）は、ドットパターンを模式的に示し、（ｂ）は、それに対応する情報の例を示す図である。
【図４】電子ペンの構造を示す概略図である。
【図５】コンピュータ装置等の機能ブロック図の一例である。
【図６】座標定義情報のデータ構造を示す概略図である。
【図７】第１実施形態における処理フローを示すフローチャートである。
【図８】第１実施形態における表示例である。
【図９】図８に示す状態から画面進むマークがタップされた場合の表示例である。
【図１０】図９に示す状態から画面進むマークがタップされた場合の表示例である。
【図１１】図１０に示す状態から画面戻るマークがタップされた場合の表示例である。
【図１２】変形例に係る座標定義情報のデータ構造を示す概略図である。
【図１３】変形例に係る座標定義情報のデータ構造を示す概略図である。
【図１４】第２実施形態におけるストローク表示システムのシステム構成図である。
【図１５】コンピュータ装置等の機能ブロック図の一例である。
【図１６】第２実施形態における表示例である。
【図１７】図１６に示す状態から画面進むマークがタップされた場合の表示例である。
【図１８】図１７に示す状態から画面進むマークがタップされた場合の表示例である。
【図１９】図１８に示す状態から画面進むマークがタップされた場合の表示例である。
【図２０】図１９に示す状態から画面進むマークがタップされた場合の表示例である。
【図２１】第３実施形態におけるストローク表示システムのシステム構成図である。
【図２２】第３実施形態における座標定義情報のデータ構造を示す概略図である。
【図２３】第３実施形態における処理フローを示すフローチャートである。
【図２４】第３実施形態における表示例である。
【図２５】図２４に示す状態から画面進むマークがタップされた場合の表示例である。
【図２６】図２５に示す状態から画面進むマークがタップされた場合の表示例である。
【図２７】図２６に示す状態から画面戻るマークがタップされた場合の表示例である。
【図２８】変形例に係る座標定義情報のデータ構造を示す概略図である。
【発明を実施するための形態】
【００２３】
以下、図面を参照しながら、本発明の実施の形態である第１実施形態乃至第３実施形態について順に説明する。
【００２４】
＜第１実施形態＞
まず、本発明に係る第１実施形態について説明する。
【００２５】
［ストローク表示システムの構成］
図１は、第１実施形態に係るストローク表示システムの構成を示す。図１に示すように、第１実施形態に係るストローク表示システムは、ユーザが使用する電子ペン１と、電子ペン１から記入情報等を受信して処理するコンピュータ装置２と、分配器４を介してコンピュータ装置２に接続された２つの大型ディスプレイ３Ａ，３Ｂとを備える。大型ディスプレイ３Ａ，３Ｂは、上下多段に並べて配置され、そのうち、ユーザの手が届く範囲にある下側の大型ディスプレイ３Ａには、電子ペン１で読み取ることができるドットパターン（コード化パターン）が印刷された透明フィルム７が貼付されている。
【００２６】
大型ディスプレイ３Ａにより表示される画面を画面１と呼び、大型ディスプレイ３Ｂにより表示される画面を画面２と呼ぶ。コンピュータ装置２は、大型ディスプレイ３Ａにより表示される画面１用の画像信号と、大型ディスプレイ３Ｂにより表示される画面２用の画像信号とを生成し、両画像信号が分配器４へ送信される。そして、両画像信号は、分配器４内の配線により分配され、画面１用の画像信号は大型ディスプレイ３Ａへ伝送され、画面２用の画像信号は、大型ディスプレイ３Ｂへ伝送される。また、コンピュータ装置２は、画面進むマーク５と、画面戻るマーク６の画像信号を生成し、画面１用の画像信号に含ませている。それにより、大型ディスプレイ３Ａには、画面進むマーク５と、画面戻るマーク６が表示されている。なお、分配器４としては、ビデオカードのほか、演算処理等で出力を分配するものであってもよい。
【００２７】
（透明フィルム）
透明フィルム７は、透明樹脂基板に、電子ペン１により読み取ることができるよう赤外線を反射する素材（酸化チタン、コレステリック液晶、赤外線反射性顔料など）を含んだインクによりドットパターン（コード化パターン）が印刷され、さらに透明なＥＢ硬化樹脂層などで保護された層構成を有している。ここで、ドットパターンを、赤外線を反射する素材で印刷しているのは、透明フィルム７の裏面にあるディスプレイ３から様々な色の可視光が放射されても、電子ペン１によってコントラストよくドットパターンを認識させるのに、望ましいからである。なお、透明フィルム７は、大型ディスプレイ３Ｂに設けられても良い。また、大型ディスプレイ３Ａには、大型ディスプレイ３Ａの画面サイズと同じサイズの透明フィルム７か、または、より大きなサイズの透明フィルムから大型ディスプレイ３Ａの画面サイズに合わせて切り取った透明フィルム７を、貼付すると好適である。なお、ディスプレイ用に透明フィルムに印刷されたドットパターンの印刷領域を「ディスプレイ用エリア」と呼ぶ。
【００２８】
（ドットパターン）
続いて、透明フィルム７に印刷されたアノト方式のドットパターン（コード化パターン）について図２及び図３を用いて説明する。図２は、ドットパターンのドットとそのドットが変換される値との関係を説明する図である。図２に示すように、ドットパターンの各ドットは、その位置によって所定の値に対応付けられている。すなわち、ドットの位置を仮想格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、透明フィルム７上の位置座標が決定されるよう構成されている。
【００２９】
図３（ａ）は、あるドットパターンの配列を示している。図３（ａ）に示すように、縦横約２ｍｍの範囲内に６×６個のドットが、透明フィルム７上のどの部分から６×６ドットを取ってもユニークなパターンとなるように配置されている。これら３６個のドットにより形成されるドットパターンは位置座標（例えば、そのドットパターンが透明フィルム７上のどの位置にあるのか）を保持している。図３（ｂ）は、図３（ａ）に示す各ドットを、格子の基準位置からのシフト方向によって、図２に示す規則性に基づいて対応づけられた値に変換したものである。この変換は、ドットパターンの画像を撮影する電子ペン１によって行われる。
【００３０】
（電子ペン）
次に、電子ペン１について図４を用いて説明する。図４は、電子ペン１の構造を示す概略図である。図４に示すように、電子ペン１は、その筐体１０１の内部に、ペン部１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。ペン部１０４の先端は、ペン先部１０３となっており、ユーザは、電子ペン１のペン先部１０３を透明フィルム７上に当接させて、ストローク（手書きストローク）を記入する。ここで、電子ペン１のペン先部１０３が透明フィルム７に最初に接触することをペンダウンと呼び、接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。
【００３１】
バッテリー１１２は、電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１により透明フィルム７に文字やマークを書いたりタップしたりする際にペン先部１０３からペン部１０４を通じて与えられる圧力、即ち筆圧を検出し、その値をプロセッサ１０８へ伝送する。
【００３２】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１で透明フィルム７上に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報と、後述する電子ペン１の識別情報（以後、「ペンＩＤ」と呼ぶ。）とを関連付けて、記入情報としてコンピュータ装置２へ送信する。また、ユーザが１つのストロークを記入し終えて電子ペン１を透明フィルム７から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報としてコンピュータ装置２へ送信する。
【００３３】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、透明フィルム７上のペン先部１０３近傍に向けて赤外線を照明する。その領域は、ペン先部１０３が透明フィルム７に接触する位置とはわずかにずれている。ＣＭＯＳカメラ１０６には、赤外線を透過し赤外線以外を遮断する赤外線フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、ドットのインク素材は、赤外線を反射するため、ＬＥＤ１０５によって照射された赤外線は、ドットによって反射される。そのため、ドットの部分は、赤外線の反射量が比較的多く、ドット以外の部分は赤外線の反射量が比較的少ない。ＣＭＯＳカメラ１０６の撮影により、赤外線の反射量の違いから閾値を設けることによって、ドットの領域とそれ以外の領域を区別することができる。なお、ＣＭＯＳカメラ１０６による撮影領域は、図３（ａ）に示すような約２ｍｍ×約２ｍｍの大きさを含む範囲であり、ＣＭＯＳカメラ１０６の撮影は毎秒５０〜１００回程度の定間隔で行われる。
【００３４】
プロセッサ１０８は、ユーザの記入が行われる間、ＣＭＯＳカメラ１０６によって供給される画像データのドットパターンから、ユーザが記入するストローク（筆跡）の透明フィルム７におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図３（ａ）に示されるようなドットパターンの画像データを図３（ｂ）に示すデータ配列に変換し、さらに、Ｘ座標ビット値・Ｙ座標ビット値に変換して、そのデータ配列から所定の演算方法によりＸ、Ｙ座標データを演算する。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、透明フィルム７における６×６のドットパターンは、透明フィルム７内で重複することはないため、ユーザが電子ペン１で文字等を記入すると、記入された位置が透明フィルム７内のどの位置に当たるかを、プロセッサ１０８による座標演算により特定することができる。
【００３５】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報としてコンピュータ装置２へ送信する。通信ユニット１１１によるコンピュータ装置２への送信は、Ｂｌｕｅｔｏｏｔｈ（登録商標）などの無線送信によって、即時的かつ逐次的に行われる。ここで、電子ペン１のペンダウンからペンアップまでの間に生成されてコンピュータ装置２に送信された１個又は複数個の座標属性情報は、コンピュータ装置２によりストローク情報として記憶される。換言すると、１つのストロークは、１個又は複数個のＸ、Ｙ座標（座標点）からなり、コンピュータ装置２は、ペンダウン情報及びペンアップ情報によって、１つのストロークを構成する１個又は複数個の座標属性情報を認識する。このように、ユーザの一つのストロークの記入により、電子ペン１によって生成される座標属性情報の集合を「ストローク情報」と呼ぶ。また、ペン先部１０３は、インクを有さず、筆圧をペン部１０４を介して圧力センサ１０７に伝達する。
【００３６】
（コンピュータ装置）
次に、コンピュータ装置２について説明する。コンピュータ装置２は、ハードウェアとして、電子ペン１とのデータ通信が可能なアンテナ装置、ＣＰＵ等のプロセッサ、ＲＯＭやＲＡＭといったメモリ、マウスやキーボード等で構成される。なお、コンピュータ装置２は、ディスプレイも備えるパーソナルコンピュータ等で構成されてもよい。図５は、コンピュータ装置２の機能ブロック図である。コンピュータ装置２は、機能的には、マウスやキーボードといった入力手段２１、受信手段２２、処理手段２４、記憶手段２５、表示手段２６（図１では図示せず）、及び送信手段２７を備える。そして、コンピュータ装置２は、電子ペン１から受信した記入情報に基づいて所定の処理を行うものである。
【００３７】
受信手段２２は、アンテナ受信回路等により構成され、電子ペン１から記入情報を受信し、処理手段２４に伝送する。送信手段２７は、コンピュータ装置２により生成された画面１，２用の画像信号を分配器４に送信する。分配器４は、受信した画像信号を、画面１用の画像信号と画面２用の画像信号とに分けて、画面１用の画像信号をディスプレイ３Ａの受信手段３２Ａへ送信し、画面２用の画像信号をディスプレイ３Ｂの受信手段３２Ｂへ送信する。また、コンピュータ装置２は、透明フィルム７のドットパターンにかかる座標系をディスプレイ３Ａにかかる座標系に変換するための座標変換関数を求めるキャリブレーション処理機能と、そのキャリブレーション処理により求められた座標変換関数を用いて、透明フィルム７のドットパターンにかかる座標系のデータを受信したときに、ディスプレイ３Ａにかかる座標系のデータに変換し、ストロークを描画したり、所定の処理を行ったりする機能を有している。
【００３８】
処理手段２４は、ＣＰＵ等のプロセッサによって構成され、コンピュータ装置２の全体の制御を行う。具体的には、処理手段２４は、上記キャリブレーション処理機能において、キャリブレーション用マークを少なくとも２以上、ディスプレイ３Ａに表示させることにより、キャリブレーション用マークが表示された位置の透明フィルム７におけるドットパターンを電子ペン１に読み取らせて記入情報を受信することで、透明フィルム７のドットパターンにかかる座標系をディスプレイ３Ａのディスプレイにかかる座標系（「ディスプレイ座標系」とも呼ぶ。）に変換するための座標変換関数を求めて記憶手段２５に記憶する（キャリブレーション処理機能）。
【００３９】
また、処理手段２４は、画面１として、画面進むマーク５及び画面戻るマーク６を含む画像信号を生成して、分配器４へ送信し、ディスプレイ３Ａに画面１の画像を表示させる。それとともに、処理手段２４は、画面２用の画像信号を生成して、分配器４へ送信し、ディスプレイ３Ｂに画面２の画像を表示させる。大型ディスプレイ３Ａに貼付された透明フィルム７上の領域のうち、画面進むマーク５及び画面戻るマーク６が表示された透明フィルム７のそれぞれの領域（エリア）を、「画面進むエリア」及び「画面戻るエリア」と呼び、それ以外の、ストロークを入力することができる透明フィルム７の領域を「入力エリア」と呼ぶ。また、処理手段２４は、デザインテンプレートに基づいてスライド画像を生成して、生成したスライド画像をディスプレイ３Ａの画面１に表示させる。このとき、処理手段２４は、生成順に通し番号であるページ番号（スライド番号）をスライド画像に付す。ページ番号は「Ｐ−Ｎ」（Ｎは自然数）で表わされ、処理手段２４は、新たなスライド画像を生成するごとに、Ｎ（初期値は１）の値を１ずつ増加させる。そして、処理手段２４は、記憶手段２５に記憶させた最新ページ番号を更新する。処理手段２４は、初期状態では、画面１に、ページ番号「Ｐ−１」を付したスライド画像を表示させる。
【００４０】
画面１は、画面移動に伴って生成された新たなスライド画像が表示される画面領域であって、画面番号が「１」の画面である。画面１は、ユーザの手が届く範囲のディスプレイ３Ａの画面であり、電子ペン１を用いてコンピュータ装置２に情報を入力するための画面である。また、画面２は、画面進むマーク５が表示された画面進むエリアへの電子ペン１による記入により画面移動が指示された場合に、画面１に表示中のスライド画像が移動されて表示される画面領域であって、画面番号が「２」の画面である。換言すると、画面２は、画面１に表示されるスライド画像のページ番号「Ｐ−Ｎ」の１つ前のページ番号「Ｐ−（Ｎ−１）」のスライド画像が表示される画面である。画面進むマーク５は、画面移動（進む）の処理に関連付けられており、ユーザが画面移動を指示する際に電子ペン１により、画面進むマーク５の透明フィルム７上の領域である画面進むエリアがタップされる。処理手段２４は、電子ペン１から受信した記入情報から、画面進むエリアへの記入であることを判定すると、画面１に表示中のスライド画像を画面２に移動して表示させると共に、そのスライド画像の次のページ番号を有するスライド画像を画面１に表示させる。画面戻るマーク６は、画面移動（戻る）の処理に関連付けられており、ユーザが画面移動を指示する際に電子ペン１により、画面戻るマーク６の透明フィルム７上の領域である画面戻るエリアがタップされる。処理手段２４は、電子ペン１から受信した記入情報から、画面戻るエリアへの記入であることを判定すると、画面２に表示中のスライド画像を画面１にスライドして表示させると共にそのスライド画像の１つ前のページ番号のスライド画像を画面２に表示させる。画面進むマーク５は、本発明における「第１のマーク」、画面戻るマーク６は、本発明における「第２のマーク」の一例である。
【００４１】
以後では、画面進むマーク５及び画面戻るマーク６を総称して、「画面移動マーク」とも呼ぶ。また、「画面進むエリア」及び「画面戻るエリア」を総称して、「画面移動エリア」とも呼ぶ。さらに、画面１及び画面２を総称して、「ストローク画面」とも呼ぶ。また、画面番号が最も大きい画面（第１実施形態では、画面２）を、「最終画面」とも呼ぶ。さらに、画面１及び画面２の領域（エリア）を「画面エリア」とも呼ぶ。
【００４２】
コンピュータ装置２が電子ペン１から記入情報を受信すると、処理手段２４は、透明フィルム７にかかる座標系のデータである、当該記入情報に含まれる座標データを、キャリブレーション処理により求められた座標変換関数を用いて、ディスプレイ座標系のデータに変換する。そして、処理手段２４は、変換後の座標データに基づいて、電子ペン１によって記入された位置が、透明フィルム７上のドットパターン（以降、「記入エリア」と呼ぶ。）であることを認識する。そして、処理手段２４は、認識した位置が、電子ペン１でストロークを入力するための入力エリアであると認識した場合には、変換後の座標データを記憶手段２５に記憶するとともに、当該変換後の座標データ等に基づくストロークをスライド画像上に描画する。そして、処理手段２４は、描画後のスライド画像を例えば同一ページ番号の描画前のスライド画像のデータに上書き保存するなどにより記憶手段２５に記憶させる。この上書き保存は、画面移動する際や入力手段２１の操作による記憶指示を検知した際などの所定のタイミングで行うようにしてもよい。また、処理手段２４は、認識した位置が、記入エリア内の画面移動エリアである場合には、画面１及び画面２にそれぞれ表示中のスライド画像を移動させる。このとき、処理手段２４は、画面進むマーク５がタップされた場合には、画面１に表示されていたスライド画像を、画面２に移動して表示するように画像信号を生成し、画面１に表示されていたスライド画像の次のページ番号のスライド画像が生成されている場合には、当該次ページ番号のスライド画像を、画面１に表示するようにする。その一方、画面１に現在表示されていたスライド画像のページ番号が、生成されたスライド画像のページ番号の中で最も大きい場合には、即ち、最新ページ番号と一致する場合には、当該ページ番号よりも１だけ大きいページ番号を付与してスライド画像を新たに生成して画面１に表示する。また、処理手段２４は、画面戻るマーク６がタップされた場合であって、画面１に現在表示中のスライド画像のページ番号が「Ｐ−１」である場合には、画面１に移動して表示されるスライド画像が存在しないため、画面移動を実行しない。これらの具体的な説明については、［処理フロー］のセクションで詳しく説明する。また、処理手段２４は、入力手段２１の操作により、記憶指示を検知すると、生成されたスライド画像及びその位置情報等を所定のファイル形式でファイルとして保存する。
【００４３】
なお、処理手段２４は、電子ペン１から受信した記入情報の中にペンダウン情報が含まれることを識別すると、最新のストローク情報を記憶するための記憶領域を記憶手段２５に設定させる。そして、処理手段２４は、受信した記入情報の中にペンアップ情報が含まれることを検出するまで、或いは、受信した記入情報の中に次のペンダウン情報が含まれることを検出するまで、受信した記入情報の中に含まれる座標属性情報を最新のストローク情報の一部として記憶手段２５に記憶させる。そして、電子ペン１による同一の画面移動エリアへの１回の記入、即ち１つのストロークに関して複数の記入情報を受信した場合には、処理手段２４は、画面移動処理を１回のみ実行するようにする。
【００４４】
記憶手段２５は、ＲＯＭやＲＡＭといったメモリによって構成される。記憶手段２５は、ディスプレイ３Ａ，３Ｂによって表示させる表示画面を生成するアプリケーションのプログラムを記憶する。また、記憶手段２５は、処理手段２４の処理命令により、電子ペン１から受信した記入情報をペンＩＤ毎に記憶したり、プログラムの実行により生成される所定のデータを記憶したりする。
【００４５】
記憶手段２５は、予め、スライド画像の雛型となるデザインテンプレートに関する情報や、透明フィルム７に印刷されたドットパターンに関する情報や、ディスプレイ座標系の座標領域（「ディスプレイ領域」とも呼ぶ。）における、キャリブレーション用マーク、画面１における画面移動マークの表示位置等に関する情報を記憶する。これによって、処理手段２４は、電子ペン１から受信した記入情報に含まれる透明フィルム７上の座標データを、座標変換関数によりディスプレイ座標系の座標データに変換したときに、変換後の座標データが、画面１の画面進むマーク５か、画面戻るマーク６か、入力エリアかのどの表示範囲に含まれるかを認識することができる。図６は、記憶手段２５に記憶される、画面１及び画面移動マークといったディスプレイに表示されるオブジェクトと、そのディスプレイ領域と、透明フィルム７上の表示領域である各エリアのエリア種別との関連付け情報（「座標定義情報」とも呼ぶ。）を示すデータ構造である。ただし、入力エリアは、画面１の範囲から、画面進むエリア及び画面戻るエリアが除かれる。図６に示す、入力エリア、画面進むマーク、画面戻るマークの各ディスプレイ領域と、電子ペン１により生成された透明フィルム７上の座標が座標変換関数により変換されたディスプレイ上の座標データとを比較することにより、いずれのエリア、マークへの記入がなされたかを特定することができる。各座標範囲は、矩形の角の位置座標（Ｘｎ，Ｙｎ）、高さ（Ｈ）、幅（Ｗ）で規定される。
【００４６】
なお、座標定義情報は、アプリケーション自体の指示により処理手段２４が生成してもよいし、アプリケーションの機能を拡張するために付加されたプラグインのプログラムの指示によって、処理手段２４が生成するようにしてもよい。
【００４７】
［処理フロー］
次に、第１実施形態のストローク表示システムによる処理フローについて説明する。図７に示す処理フローは、電子ペン１により記入情報が生成されるごとに繰り返し実行される。
【００４８】
ユーザが、入力エリアに対し電子ペン１で文字等の記入又はタップをすると、電子ペン１は、ペンダウン時には、ペンダウン情報及びペンＩＤが関連付けられた記入情報をコンピュータ装置２へ送信する。また、電子ペン１は、ストロークの記入中では、ストロークに沿ってドットパターンが撮像されて演算された座標情報を含む座標属性情報とペンＩＤとが関連付けられた記入情報をコンピュータ装置２へ送信する。そして、電子ペン１は、ペンアップ時には、ペンアップ情報及びペンＩＤが関連付けられた記入情報をコンピュータ装置２へ送信する（ステップＳ１０１Ａ）。
【００４９】
コンピュータ装置２では、受信手段２２が、電子ペン１から送信された記入情報を受信すると、処理手段２４は、記憶手段２５に、その記入情報をペンＩＤ毎に記憶させる（ステップＳ２０１Ａ）。次に、処理手段２４は、その記入情報に含まれる座標情報を、キャリブレーション処理により求められた座標変換関数を用いて、ディスプレイ座標系の座標情報に変換する（ステップＳ２０２Ａ）。そして、処理手段２４は、図６に示す座標定義情報を参照し、変換後の座標情報が含まれるディスプレイ領域に基づいて、電子ペン１により透明フィルム７上のどのエリアに記入されたかをエリア種別により認識する（ステップＳ２０３Ａ）。
【００５０】
次に、処理手段２４は、ステップＳ２０３Ａで認識したエリアが、画面進むエリアであるか否か、判定する（ステップＳ２０４Ａ）。そして、画面進むエリアへの記入であると判定した場合（ステップＳ２０４Ａ；Ｙｅｓ）、処理手段２４は、画面１に最新ページ番号のスライド画像を表示しているか否か判定する（ステップＳ２０５Ａ）。具体的には、処理手段２４は、記憶手段２５に記憶した最新ページ番号と、画面１に表示中のスライド画像に付されたページ番号とを照合して、一致するか否か判定する。そして、当該ページ番号が最新ページ番号と一致して、画面１に最新ページ番号のスライド画像を表示していると判定した場合（ステップＳ２０５Ａ；Ｙｅｓ）、即ち、当該ページ番号の次のページ番号に対応するスライド画像であって、画面１に移動するスライド画像が存在しない場合、処理手段２４は、新規のスライド画像を生成する（ステップＳ２０６Ａ）。具体的には、処理手段２４は、記憶手段２５に記憶されたデザインテンプレートを雛型にして最新ページ番号より１だけ大きいページ番号を付したスライド画像を新たに生成し、新規のスライド画像および更新した最新ページ番号を記憶手段２５に記憶させる。
【００５１】
そして、処理手段２４は、スライド画像を、画面番号が大きくなる方向へ移動させて、画面移動後の画面をディスプレイ３に表示させる（ステップＳ２０７Ａ）。具体的には、処理手段２４は、ディスプレイ３Ａの画面１に表示中であったスライド画像を、ディスプレイ３Ｂの画面２に移動して表示させ、また、画面１に表示していたスライド画像の次のページ番号に対応するスライド画像を、画面１に移動して表示させる。さらに、処理手段２４は、画面２（最終画面）に既にスライド画像を表示していた場合、当該画像を、画面外に移動させる。一方、ステップＳ２０５Ａにおいて、画面１に表示しているスライド画像が最新ページ番号のスライド画像でないと判定した場合（ステップＳ２０５Ａ；Ｎｏ）、即ち、画面１に移動するスライド画像が存在する場合、処理手段２４は、ステップＳ２０７Ａの処理に移行して、スライド画像の表示を画面番号が大きくなるストローク画面の方向へ移動して表示させる。
【００５２】
一方、ステップＳ２０４Ａにおいて、画面進むエリアへの記入でないと判定した場合（ステップＳ２０４Ａ；Ｎｏ）、処理手段２４は、ステップＳ２０３Ａで認識したエリアが、画面戻るエリアであるか否か判定する（ステップＳ２０８Ａ）。この判定により、画面戻るエリアへの記入であると判定した場合（ステップＳ２０８Ａ；Ｙｅｓ）、処理手段２４は、画面１にページ番号「Ｐ−１」のスライド画像を表示しているか否か判定する（ステップＳ２０９Ａ）。そして、画面１にページ番号「Ｐ−１」のスライド画像を表示していないと判定した場合（ステップＳ２０９Ａ；Ｎｏ）、即ち、画面１に表示中であるスライド画像に付されたページ番号の１つ前のページ番号に対応するスライド画像が存在して、画面２に表示中である場合、処理手段２４は、画面番号が小さくなるストローク画面の方向へスライド画像の表示を移動させる（ステップＳ２１０Ａ）。具体的には、処理手段２４は、画面２に表示中のスライド画像を画面１に移動して表示させる。処理手段２４は、画面２に表示中のスライド画像の１つ前のページ番号に対応するスライド画像が存在する場合、当該スライド画像を画面２に移動して表示させる。一方、画面１にページ番号「Ｐ−１」のスライド画像を表示していると判定した場合（ステップＳ２０９Ａ；Ｙｅｓ）、即ち、画面２にはスライド画像が表示されておらず画面１に移動するスライド画像が存在しない場合、処理手段２４は、フローチャートの処理を終了する。この場合、処理手段２４は、ページ番号「Ｐ−１」のスライド画像を画面１に引き続き表示させる。
【００５３】
一方、ステップＳ２０８Ａにおいて、画面戻るエリアへの記入でないと判定した場合（ステップＳ２０８Ａ；Ｎｏ）、処理手段２４は、ステップＳ２０３Ａで認識したエリアが、入力エリアであるか否か判定する（ステップＳ２１１Ａ）。この判定において、入力エリアへの記入であると判定した場合（ステップＳ２１１Ａ；Ｙｅｓ）、処理手段２４は、ストローク描画処理を行う（ステップＳ２１３Ａ）。具体的には、処理手段２４は、変換後の座標情報に基づいて、画面１に表示中であって電子ペン１による記入対象となるスライド画像に、記入されたストロークを重畳して描画し、ディスプレイ３Ａによる表示を更新させると共に、描画後のスライド画像を記憶手段２５に更新して記憶させる。一方、入力エリアへの記入でないと判定した場合（ステップＳ２１１Ａ；Ｎｏ）、即ち、画面移動エリアへの記入でもなく入力エリアへの記入でもない場合、処理手段２４は、フローチャートの処理を終了する。
【００５４】
［表示例］
次に、第１実施形態において、ディスプレイ３Ａ，３Ｂに表示される画面の具体的な表示例について、図７のフローチャート及び図８〜図１１を参照して説明する。
【００５５】
図８は、画面１にページ番号「Ｐ−１」の未記入状態のスライド画像が表示された後、ページ番号「Ｐ−１」のスライド画像が表示されているディスプレイ３Ａの透明フィルム７上の入力エリアに電子ペン１により任意の書き込みがなされた場合の表示例を示す。ここで、初期状態から図８に示す状態に遷移するまでの過程について簡単に説明する。まず、処理手段２４は、電子ペン１より受信した記入情報に含まれる座標情報を、予めキャリブレーション処理により求めて記憶手段２５に記憶した座標変換関数を用いて、ディスプレイ座標系の座標情報に変換する（ステップＳ２０２Ａ参照）。次に、処理手段２４は、記憶手段２５に記憶された座標定義情報（図６参照）を参照し、記入されたエリアが入力エリアであることを特定する。そして、処理手段２４は、ストローク描画処理によって、電子ペン１による記入対象である画面１に表示中のページ番号「Ｐ−１」のスライド画像に、記入されたストロークを重畳して描画し、表示を更新する（ステップＳ２１３Ａ参照）。なお、画面１にページ番号「Ｐ−１」のスライド画像が表示されている場合、ページ番号「Ｐ−１」の１つ前のページ番号は存在しないため、画面２には、スライド画像は表示されない。
【００５６】
図９は、図８に示す状態から画面進むエリア（画面進むマーク５の表示領域）が電子ペン１によりタップされた後、入力エリアに書き込みがなされた場合のディスプレイ３Ａ，３Ｂの表示例を示す。図８に示す状態で、電子ペン１により画面進むエリアがタップされた場合、処理手段２４は、認識した記入されたエリアが画面進むエリアであり（ステップＳ２０４Ａ；Ｙｅｓ参照）、画面１に表示中のスライド画像のページ番号が最新ページ番号「Ｐ−１」と一致することから（ステップＳ２０５Ａ；Ｙｅｓ参照）、ページ番号「Ｐ−２」の未記入状態のスライド画像を新規に生成して、記憶手段２５に新規スライド画像を記憶させると共に最新ページ番号を「Ｐ−２」と更新記憶させる（ステップＳ２０６Ａ参照）。そして、処理手段２４は、図９に示すように、画面番号が大きくなるストローク画面の方向に、即ち、画面１に表示中のページ番号「Ｐ−１」のスライド画像は、画面１から画面２へ、表示する位置を移動させ、画面１にはページ番号「Ｐ−２」を付した新規に生成したスライド画像を配置させて、画面移動後の画像をディスプレイ３Ａ，３Ｂに表示させる（ステップＳ２０７Ａ参照）。その後、処理手段２４は、ページ番号「Ｐ−２」のスライド画像が表示されている入力エリアへの電子ペン１による書き込みに対し、ストローク描画処理によって、電子ペン１による記入対象であるページ番号「Ｐ−２」のスライド画像に、記入されたストロークを重畳して描画し、表示を更新する（ステップＳ２１３Ａ参照）。
【００５７】
図１０は、図９に示す状態からさらに画面進むエリアが電子ペン１によりタップされた後、入力エリアに書き込みがなされた場合のディスプレイ３Ａ，３Ｂの表示例を示す。図９に示す状態から、電子ペン１により画面進むエリアがタップされた場合、処理手段２４は、認識した記入されたエリアが画面進むエリアであり（ステップＳ２０４Ａ；Ｙｅｓ参照）、画面１に表示中のスライド画像のページ番号が最新ページ番号「Ｐ−２」と一致することから（ステップＳ２０５Ａ；Ｙｅｓ参照）、ページ番号「Ｐ−３」の未記入状態のスライド画像を新規に生成して、記憶手段２５に新規スライド画像を記憶させると共に最新ページ番号を更新記憶させる（ステップＳ２０６Ａ参照）。そして、処理手段２４は、図１０に示すように、画面番号が大きくなるストローク画面の方向へ、表示中のスライド画像を移動させる（ステップＳ２０７Ａ参照）。即ち、処理手段２４は、画面１に表示中のページ番号「Ｐ−２」のスライド画像を画面１から画面２へ移動させ、また、最終画面（画面２）に表示中のページ番号「Ｐ−１」のスライド画像を、画面外に移動させ、画面１にはページ番号「Ｐ−３」を付した新規のスライド画像を配置させて、画面移動後の画像を表示手段２６に表示させる。その後、処理手段２４は、ページ番号「Ｐ−３」のスライド画像が表示されている入力エリアへの電子ペン１による書き込みに対し、ストローク描画処理によって、電子ペン１による記入対象であるページ番号「Ｐ−３」のスライド画像に、記入されたストロークを重畳して描画し、表示を更新する（ステップＳ２１３Ａ参照）。
【００５８】
なお、図１０に示す状態からさらに画面進むエリアが電子ペン１によりタップされた場合には、処理手段２４は、ページ番号「Ｐ−３」のスライド画像を画面１から最終画面（画面２）へ移動させると共に、ページ番号「Ｐ−２」のスライド画像を画面外に移動させる。
【００５９】
図１１は、図１０に示す状態から画面戻るエリア（画面戻るマーク６の表示領域）が電子ペン１によりタップされた後のディスプレイ３Ａ，３Ｂの表示例を示す。図１０に示す状態から、電子ペン１により画面戻るエリアに入力がなされた場合、処理手段２４は、認識したエリアが画面戻るエリアであり（ステップＳ２０８Ａ；Ｙｅｓ参照）、画面１にページ番号「Ｐ−１」のスライド画像を表示していないことから（ステップＳ２０９Ａ；Ｎｏ参照）、図１１に示すように、画面番号が小さくなるストローク画面の方向へ、表示中のスライド画像を移動させる（ステップＳ２１０Ａ参照）。即ち、処理手段２４は、画面２に表示中のページ番号「Ｐ−２」のスライド画像を画面２から画面１へ移動させ、また、最終画面（画面２）に表示されているスライド画像より１つ前のページ番号である「Ｐ−１」を有するスライド画像を画面２へ移動させ、また、画面１に表示中のページ番号「Ｐ−３」のスライド画像を画面外に移動させて、画面移動後の画像を、ディスプレイ３Ａ，３Ｂに表示させる。
【００６０】
なお、図１１に示す状態からさらに画面戻るエリアが電子ペン１によりタップされた場合には、処理手段２４は、ページ番号「Ｐ−１」のスライド画像を画面１に移動させると共に、ページ番号「Ｐ−２」のスライド画像を画面外に移動させる。
【００６１】
［第１実施形態のストローク表示システムによる作用効果］
第１実施形態のストローク表示システムによれば、コンピュータ装置２は、ユーザの手が届く範囲に表示される画面１と、その上に隣接して配置される画面２との２つのストローク画面を表示すると共に、電子ペン１によりディスプレイ３Ａ上の透明フィルム７の入力エリアに記入されるストロークを画面１の該当する位置にリアルタイムで描画して表示する。また、コンピュータ装置２は、ディスプレイ３Ａ上の透明フィルム７上の画面移動エリアへのタップに基づき、画面１及び画面２に表示するスライド画像を移動させる。従って、例えば、ユーザは、画面１上で表示中のスライド画像にストロークを記入するスペースがなくなった場合に、画面１上に新規のスライド画像を表示させて、ユーザの手が届く範囲で新しい書き込みをできるようにすると共に、記入済みのスライド画像を、ユーザの手は届かないが遠くから視覚されやすい画面２に引き続き表示させることができる。このように、第１実施形態のストローク表示システムは、上下に配列されたディスプレイ３Ａ，３Ｂを有効活用することができる。よって、ストローク表示システムは、例えば大教室や会議室に好適に適用される。
【００６２】
［第１実施形態の変形例］
次に、第１実施形態の変形例について説明する。以下の変形例は、任意に組み合わせて上述の第１実施形態に適用してもよい。
【００６３】
（変形例１）
第１実施形態では、画面移動マークは、画面１に表示されていたが、本発明が適用可能な方法は、これに限定されない。
【００６４】
これに代えて、画面移動マークは、所定の用紙にドットパターンと重畳して印刷されてもよい。この場合、画面移動マークとドットパターンを印刷した用紙（「指示用紙」（指示媒体）と呼ぶ。）は、ディスプレイ３Ａに貼り付けられてもよく、ユーザに把持された状態で使用されてもよい。図１２は、変形例１で、記憶手段２５に記憶される座標定義情報を示すデータ構造である。図１２（ａ）は、画面１及び画面１に対応する入力エリアのディスプレイ座標系における座標定義情報を示し、図１２（ｂ）、（ｃ）は、ディスプレイ用エリア及び入力エリア、並びに、指示用紙の画面移動マークが印刷された領域に対応する画面移動エリア（画面進むエリア及び画面戻るエリア）、のドットパターンに関する座標定義情報（「ドットパターン座標定義情報）と呼ぶ。）を示す。また、図１２（ｂ）はキャリブレーション前のドットパターン座標定義情報を示し、図１２（ｃ）はキャリブレーションによって入力エリアの座標領域が特定された後のドットパターン座標定義情報を示す。図１２（ｂ）、（ｃ）に示すように、各エリアのドットパターンの座標領域、ドットパターンアドレス及びエリアの種別が対応付けられて記憶手段２５に記憶される。各エリアに関連付けられるドットパターンの座標領域は、角の位置座標（Ｘｎ、Ｙｎ）、高さ（Ｙ方向）、幅（Ｘ方向）で規定される。この場合、指示用紙に印刷されるドットパターンは、カーボンなどの赤外線を吸収するインクで印刷するとよい。そして、電子ペン１は、透明フィルム７からのドットパターンの読み取りと、指示用紙からのドットパターンの読み取りとの両方を行うことができるよう、ドットパターンを撮像した画像の閾値設定、反転処理機能などを有するとよい。
【００６５】
変形例１のキャリブレーション処理では、処理手段２４は、キャリブレーション処理によって求めた座標変換関数を用いて、図１２（ａ）に示すディスプレイ座標系の入力エリアの座標情報を逆変換して、透明フィルム７上のドットパターンにかかる入力エリアの座標領域を求め、ドットパターン座標定義情報を図１２（ｂ）に示す内容から図１２（ｃ）に示す内容に更新して記憶手段２５に記憶する。また、変形例１の処理フローと、第１実施形態の処理フローとは、座標変換のタイミングが相違する。第１実施形態では、処理手段２４は、ドットパターンにかかる座標情報をディスプレイ座標系の座標情報に変換してから記入されたエリアを認識したが、変形例１では、ドットパターンにかかる座標情報から記入されたエリアを認識し、入力エリアへの記入である場合に座標変換を行う。変形例１の処理フローでは、処理手段２４は、電子ペン１から受信した記入情報を記憶手段２５に記憶させると（図７ステップＳ２０１Ａ参照）、その記入情報に含まれる座標情報に基づいて、図１２（ｃ）に示すドットパターン座標定義情報を参照し、電子ペン１により記入されたエリアを認識する（図７ステップＳ２０３Ａ参照）。続いて、処理手段２４は、記入されたエリアが画面進むエリア又は画面戻るエリアであるか否かの判定とそれに伴う処理を、第１実施形態と同様に実行する（図７ステップＳ２０４Ａ〜Ｓ２１０Ａ参照）。そして、画面戻るエリアでないと判定した場合（図７ステップＳ２０８Ａ；Ｎｏ参照）、処理手段２４は、入力エリアであるか否か判定する。入力エリアであると判定した場合（図７ステップＳ２１１Ａ；Ｙｅｓ参照）、処理手段２４は、当該座標情報をドットパターンにかかる座標系から、座標変換関数を用いて、ディスプレイ座標系の座標情報に変換する。続いて、処理手段２４は、変換後の座標情報に基づいて、ストローク描画処理を実行する（ステップＳ２１３Ａ参照）。一方、入力エリアでないと判定した場合、処理手段２４は、そのまま処理を終了する。
【００６６】
（変形例２）
第１実施形態では、処理手段２４は、キャリブレーション処理により求められた座標変換関数を用いて、電子ペン１から受信した全ての座標情報の座標系を変換した。しかし、本発明が適用可能な構成は、これに限定されない。これに代えて、処理手段２４は、電子ペン１から入力エリアに係る座標情報を受信したときのみ当該座標情報の座標系をディスプレイ座標系に変換するようにしてもよい。
【００６７】
変形例２に係る処理手段２４は、キャリブレーション処理において、変形例１と同様にして、入力エリア、画面進むエリア及び画面戻るエリアの透明フィルム７上のドットパターンにかかる座標情報を、逆変換によって求める。図１３は、変形例２で上述の逆変換を行う場合に、記憶手段２５に記憶される座標定義情報を示すデータ構造である。図１３（ａ）は、ディスプレイ座標系における座標定義情報を示し、図１３（ｂ）は、キャリブレーション処理前のドットパターン座標定義情報を示し、図１３（ｃ）は、キャリブレーション処理後に更新して記憶されるドットパターン座標定義情報を示す。そして、この場合、処理手段２４は、変形例１の処理フローと同様に、電子ペン１から受信した記入情報に含まれる座標情報に基づいて、図１３（ｃ）に示すドットパターン座標定義情報を参照し、記入されたエリアを認識する。また、処理手段２４は、記入されたエリアが入力エリアであると判定した場合、ドットパターンに係る座標情報をディスプレイ座標系の座標情報に変換して、変換後の座標情報に基づいてストローク描画処理を実行する。
【００６８】
（変形例３）
図７に示すフローチャートのステップＳ２０９Ａで、画面１がページ番号「Ｐ−１」のスライド画像を表示していると判定した場合、処理手段２４は、当該スライド画像を画面１から移動させず画面１に引き続き表示した。これに代えて、処理手段２４は、当該スライド画像を移動させて画面外に移動させると共に、表示するスライド画像がない旨のメッセージ画像を画面１に表示させてもよい。他の例では、処理手段２４は、当該スライド画像を画面１から移動させずに、当該スライド画像の上に、表示するスライド画像がない旨のメッセージ画像を所定時間のみ（例えば、５秒間）表示させてもよい。
【００６９】
（変形例４）
上記実施形態では、入力エリアは、ディスプレイ３Ａに貼付された透明フィルム７のうち、画面進むエリアや画面戻るエリアを除く領域としたが、これに限られず、入力エリアは、画面進むエリアや画面戻るエリアが含まないように規定される矩形範囲としてもよい。あるいは、入力エリアは、透明フィルム７の全ての領域として、電子ペン１による所定の記入態様によって、画面進むエリアや画面戻るエリアへの記入であるのか入力エリアへの記入であるのかを処理手段２４が処理するようにしてもよい。所定の記入態様としては、１つのストロークに関するペンダウンおよびペンアップの両方とも画面進むエリア内または画面戻るエリア内に含まれる場合、マウスのダブルクリックに相当する、ダブルタップによる場合、が挙げられる。さらには、ディスプレイ３Ａに貼付された透明フィルム７のドットパターンとは異なる座標領域を示すドットパターンを有する別の透明フィルムを、ディスプレイ３Ｂに貼付し、ディスプレイ３Ｂ上の透明フィルムにおけるドットパターンの範囲も、入力エリアに含ませるようにしてもよい。
【００７０】
（変形例５）
上記第１実施形態において、アノト方式のコード化パターン（ドットパターン）を用いたが、位置座標を示すコード化パターンであればよく、アノト方式に限られない。
【００７１】
＜第２実施形態＞
次に、第２実施形態について説明する。図１４は、第２実施形態におけるストローク表示システムのシステム構成図を示す。図１５は、コンピュータ装置等の機能ブロック図である。第２実施形態では、４つの大型ディスプレイ３Ａ〜３Ｄを上下左右多段に配置し、各ディスプレイに、画面１〜画面４を表示させる点で、第１実施形態と異なる。第２実施形態のその他の点は第１実施形態と同様であるので、適宜その説明を省略する。
【００７２】
第２実施形態では、ドットパターンが印刷された透明フィルム７の範囲は、第１実施形態と同様、少なくとも、ユーザの手が全面に手が届く範囲である画面１が表示される領域を含む範囲に設定される。なお、ドットパターンが印刷された透明フィルム７の範囲は、ディスプレイ３Ａのほか、ディスプレイ３Ｄや、全てのディスプレイ３Ａ〜３Ｄに設定されてもよい。４つのストローク画面としては、画面１の上段に隣接して画面２が配置され、画面２の向かって右側に隣接して画面３が配置され、画面３の下段に隣接して画面４が配置される。画面４が最終画面となる。
【００７３】
処理手段２４は、ディスプレイ３Ａ〜３Ｄに表示するための画面１〜４用の画像信号を生成し、送信手段２７を介して、分配器４へ送信する。ここで、処理手段２４は、画面１に、画面進むマーク５と、画面戻るマーク６が表示されるように、画像信号を生成する。分配器４は、画面１〜４用の画像信号を分配して、それぞれをディスプレイ３Ａ〜３Ｄの受信手段３２Ａ〜３２Ｄへ伝送する。また、処理手段２４は、生成順に通し番号であるページ番号を付与してスライド画像を生成して、生成したスライド画像を画面１に表示させる。そして、処理手段２４は、記憶手段２５に記憶させた最新ページ番号を更新する。
【００７４】
また、処理手段２４は、画面進むエリアがタップされた場合、各画面に表示中のスライド画像を、画面番号が大きくなるストローク画面の方向に、右回りに移動して表示する。即ち、処理手段２４は、画面進むエリアへの記入を認識すると、画面１に表示中のスライド画像を画面２に表示させ、画面２に表示中のスライド画像を画面３に表示させ、画面３に表示中のスライド画像を画面４（最終画面）に表示させ、最終画面に表示中のスライド画像を画面外に移動させる。このとき、画面１に表示中のスライド画像のページ番号が、最新ページ番号の場合、処理手段２４は、画面１に表示中のスライド画像のページ番号より１だけ大きいページ番号を付与して新規のスライド画像を生成し、画面１に表示させる。一方、画面１に表示中のスライド画像のページ番号が、最新ページ番号でない場合、処理手段２４は、画面１に表示中のスライド画像の次のページ番号を有するスライド画像を、画面１に表示させる。
【００７５】
また、処理手段２４は、画面戻るエリアがタップされた場合、各ストローク画面に表示中のスライド画像を、画面番号が小さくなるストローク画面の方向に、左回りに移動して表示する。即ち、処理手段２４は、画面戻るエリアへの記入を認識すると、最終画面（画面４）に表示中のスライド画像の１つ前のページ番号を有するスライド画像を最終画面に表示させ、画面４に表示中のスライド画像を画面３に表示させ、画面３に表示中のスライド画像を画面２に表示させ、画面２に表示中のスライド画像を画面１に表示させ、画面１に表示中のスライド画像を画面外に移動させる。一方、画面１に表示中のスライド画像のページ番号が「Ｐ−１」である場合には、処理手段２４は、画面移動を実行しない。具体的な処理手順については、第１実施形態で説明した図７のフローチャートと同様であるため、その説明を省略する。
【００７６】
［表示例］
次に、第２実施形態において、ディスプレイ３Ａ〜３Ｄにより表示される画面の具体例について、図７のフローチャート及び図１６〜図２０を参照して説明する。
【００７７】
図１６は、画面１にページ番号「Ｐ−１」の未記入状態のスライド画像が表示された後、ページ番号「Ｐ−１」のスライド画像が表示されている透明フィルム７上の入力エリアに電子ペン１により任意の書き込みがなされた場合のディスプレイ３Ａ〜３Ｄの表示例を示す。ここで、初期状態から図１６に示す状態に遷移するまでの過程について説明する。まず、処理手段２４は、受信した記入情報に含まれる座標情報を、記憶手段２５に記憶された座標変換関数を用いて、ディスプレイ座標系の座標情報に変換する（ステップＳ２０２Ａ参照）。次に、処理手段２４は、記憶手段２５に記憶された座標定義情報（図６参照）を参照し、記入されたエリアが入力エリアであることを特定する。そして、処理手段２４は、ストローク描画処理によって、電子ペン１による記入対象である画面１に表示中のページ番号「Ｐ−１」のスライド画像に、記入されたストロークを重畳して描画し、表示を更新する（ステップＳ２１３Ａ参照）。なお、画面１にページ番号「Ｐ−１」のスライド画像が表示されている場合、ページ番号「Ｐ−１」より前のページ番号は存在しないため、画面２〜画面４には、この時点ではスライド画像は表示されない。
【００７８】
図１７は、図１６に示す状態から画面進むエリアが電子ペン１によりタップされた後、入力エリアに書き込みがなされた場合の表示例を示す。図１６に示す状態で、電子ペン１により画面進むエリアがタップされた場合、処理手段２４は、記入されたエリアが画面進むエリアであり（ステップＳ２０４Ａ；Ｙｅｓ参照）、画面１に表示中のスライド画像のページ番号が最新ページ番号「Ｐ−１」と一致することから（ステップＳ２０５Ａ；Ｙｅｓ参照）、ページ番号「Ｐ−２」の未記入状態のスライド画像を新規に生成して、記憶手段２５に新規スライド画像を記憶させると共に最新ページ番号を「Ｐ−２」と更新記憶させる（ステップＳ２０６Ａ参照）。そして、図１７に示すように、画面番号が大きくなる方向に、即ち、画面１に表示中のページ番号「Ｐ−１」のスライド画像は、画面１から画面２へ、表示する位置を移動させ、画面１にはページ番号「Ｐ−２」の未記入状態のスライド画像を配置させて、画面移動後の画像を各ディスプレイ３Ａ〜３Ｄに表示させる（ステップＳ２０７Ａ参照）。その後、処理手段２４は、ページ番号「Ｐ−２」のスライド画像が表示されている入力エリアへの電子ペン１による書き込みに対し、ストローク描画処理によって、電子ペン１による記入対象であるページ番号「Ｐ−２」のスライド画像に、記入されたストロークを重畳して描画し、表示を更新する（ステップＳ２１３Ａ参照）。
【００７９】
図１８は、図１７に示す状態から画面進むエリアが電子ペン１によりタップされた後、入力エリアに書き込みがなされた場合の表示例を示す。図１７に示す状態で、電子ペン１により画面進むエリアにタップがなされた場合、図１６から図１７への遷移と同様に、処理手段２４は、ページ番号「Ｐ−３」の新規のスライド画像を生成してから（ステップＳ２０６Ａ参照）、画面番号が大きくなるストローク画面の方向に、即ち右回りに、表示中のスライド画像をスライド移動させる（ステップＳ２０７Ａ参照）。即ち、処理手段２４は、画面１に表示中のページ番号「Ｐ−２」のスライド画像を、画面１から画面２へ移動させ、画面２に表示中のページ番号「Ｐ−１」のスライド画像を、画面２から画面３へ移動させ、画面１にはページ番号「Ｐ−３」の未記入状態のスライド画像を配置させて、これらの画面移動後の画像を各ディスプレイ３Ａ〜３Ｄに表示させる。このときの最新ページ番号は「Ｐ−３」となる。その後、処理手段２４は、ページ番号「Ｐ−３」のスライド画像が表示されている入力エリアへの電子ペン１による書き込みに対し、ストローク描画処理によって、電子ペン１による記入対象であるページ番号「Ｐ−３」のスライド画像に、記入されたストロークを重畳して描画し、表示を更新する（ステップＳ２１３Ａ参照）。
【００８０】
図１９は、図１８に示す状態から画面進むエリアが電子ペン１によりタップされた後、入力エリアに書き込みがなされた場合の表示例を示す。図１８に示す状態で、電子ペン１により画面進むエリアにタップがなされた場合、上述の２回の画面遷移と同様に、処理手段２４は、ページ番号「Ｐ−４」の新規のスライド画像を生成してから（ステップＳ２０６Ａ参照）、画面番号が大きくなるストローク画面の方向に、即ち右回りに、表示中のスライド画像をスライド移動させる（ステップＳ２０７Ａ参照）。即ち、処理手段２４は、画面１に表示中のページ番号「Ｐ−３」のスライド画像を画面２へ移動させ、画面２に表示中のページ番号「Ｐ−２」のスライド画像を画面３へ移動させ、画面３に表示中のページ番号「Ｐ−１」のスライド画像を画面４へ移動させ、画面１にはページ番号「Ｐ−４」のスライド画像を配置させて、これらの画面移動後の画像を各ディスプレイ３Ａ〜３Ｄに表示させる。このとき、最新ページ番号は「Ｐ−４」となる。その後、処理手段２４は、ページ番号「Ｐ−４」のスライド画像が表示されている入力エリアへの電子ペン１による書き込みに対し、ストローク描画処理によって、電子ペン１による記入対象であるページ番号「Ｐ−４」のスライド画像に、記入されたストロークを重畳して描画し、表示を更新する（ステップＳ２１３Ａ参照）。
【００８１】
図２０は、図１９に示す状態からさらに画面進むエリアが電子ペン１によりタップされた後、入力エリアに書き込みがなされた場合の表示例を示す。図１９に示す状態から、電子ペン１により画面進むエリアにタップがなされた場合、上述の３回の画面遷移と同様に、処理手段２４は、ページ番号「Ｐ−５」の新規のスライド画像を生成して（ステップＳ２０６Ａ参照）、画面番号が大きくなるストローク画像の方向に、表示中のスライド画像を右回りにスライド移動させる（ステップＳ２０７Ａ参照）。即ち、処理手段２４は、画面１に表示中のページ番号「Ｐ−４」のスライド画像を画面２へ移動させ、画面２に表示中のページ番号「Ｐ−３」のスライド画像を画面３へ移動させ、画面３に表示中のページ番号「Ｐ−２」のスライド画像を画面４へ移動させ、最終画面（画面４）に表示中のページ番号「Ｐ−１」のスライド画像を画面外に移動させ、画面１にはページ番号「Ｐ−５」の新規スライド画像を配置させて、これらの画面移動後の画像を各ディスプレイ３Ａ〜３Ｄに表示させる。その後、処理手段２４は、ページ番号「Ｐ−５」のスライド画像が表示されている入力エリアへの電子ペン１による書き込みに対し、ストローク描画処理によって、電子ペン１による記入対象であるページ番号「Ｐ−５」のスライド画像に、記入されたストロークを重畳して描画し、表示を更新する（ステップＳ２１３Ａ参照）。
【００８２】
図２０に示す状態から画面戻るエリアが電子ペン１によりタップされた場合には、処理手段２４は、記入されたエリアが画面戻るエリアであり（ステップＳ２０８Ａ；Ｙｅｓ参照）、画面１にページ番号「Ｐ−１」のスライド画像を表示していないことから（ステップＳ２０９Ａ；Ｎｏ参照）、画面番号が小さくなるストローク画面の方向に、即ち左回りに、表示中のスライド画像をスライド移動させる（ステップＳ２１０Ａ参照）。即ち、処理手段２４は、画面４に表示中のページ番号「Ｐ−２」のスライド画像を画面３へ移動させ、また、画面３に表示中のページ番号「Ｐ−３」のスライド画像を画面２へ移動させ、また、画面２に表示中のページ番号「Ｐ−４」のスライド画像を画面１へ移動させ、また、画面１に表示中のページ番号「Ｐ−５」のスライド画像を、画面外に移動させ、また、最終画面（画面４）に表示されているスライド画像の１つ前のページ番号である「Ｐ−１」のスライド画像を画面４へ移動させ、これらの画面移動後の画像を各ディスプレイ３Ａ〜３Ｄに表示させる。
【００８３】
［第２実施形態のストローク表示システムによる作用効果］
第２実施形態のストローク表示システムによれば、コンピュータ装置２は、画面エリアの左下から右回りに画面番号が大きくなるように、４つのストローク画面を各ディスプレイ３Ａ〜３Ｄに表示すると共に、電子ペン１によりディスプレイ３Ａに貼付された透明フィルム７の入力エリアに記入されるストロークを画面１の該当する位置にリアルタイムに表示する。また、コンピュータ装置２は、透明フィルム７上の画面移動エリアへのタップに基づき、各ストローク画面に表示させるスライド画像を移動させる。従って、コンピュータ装置２は、例えば画面１に現在記入中のスライド画像を表示すると共に、残りの画面２〜画面４に前３ページ分の記入済みのスライド画像を表示することができる。このように、第２実施形態のストローク表示システムは、第１実施形態のストローク表示システムよりも多くのスライド画像を１度に表示させることができる。
【００８４】
また、第２実施形態では、第１実施形態と同様、画面１の上段に隣接して画面２が設定される。このようにすることで、ストローク表示システムは、画面１全体へのユーザの書き込みを容易にすると共に、直近に記入したスライド画像が表示される画面２をユーザが見やすい位置に配置することができる。
【００８５】
［第２実施形態の変形例］
次に、第２実施形態の変形例について説明する。第２実施形態では、第１実施形態の変形例及び以下に述べる変形例を任意に組み合わせて適用可能である。
【００８６】
（変形例）
第２実施形態の表示例では、画面１〜画面４は、画面番号順に、画面エリアの左下から右回りに配置されていた。これに代えて、画面１〜画面４は、画面番号順に左回りに配置されてもよい。本変形例の場合、画面エリアの左下に配置された画面１から左回りに、即ち、画面１の右側に隣接して画面２が配置され、画面２の上段に隣接して画面３が配置され、画面３の左側に隣接して画面４（最終画面）が配置される。また、ドットパターンが印刷された透明フィルム７は、少なくとも、ユーザの手が全面に手が届く範囲の画面１（ディスプレイ３Ａ）及び画面２（ディスプレイ３Ｂ）及び画面移動マークの表示される領域を含む範囲に設定される。第２実施形態でもそうであるが、本変形例においても、上下に表示させていた画面進むマーク５及び画面戻るマーク６を、左右に表示させるようにしてもよい。
【００８７】
変形例におけるストローク表示システムのその他の点は、第２実施形態と同様である。即ち、画面番号が大きくなる方向及び小さくなる方向が、第２実施形態と左右逆周りとなるが、ストローク表示システムの処理フローは変わらず、画面進むエリアが電子ペン１によってタップされた場合には、スライド画像はストローク画面の画面番号が大きくなる方向に移動され、画面戻るエリアが電子ペン１によってタップされた場合には、スライド画像はストローク画面の画面番号が小さくなる方向に移動される。
【００８８】
また、画面２（ディスプレイ３Ｂ）にも、異なる座標範囲のドットパターンを印刷した透明フィルムを貼付し、その範囲と、当該透明フィルムの座標系からディスプレイ３Ｂの座標系に変換するための座標変換関数をコンピュータ装置２で記憶しておけば、ユーザは、画面１に表示中のスライド画像のみならず画面２に表示中のスライド画像に対しても書き込みを行うことができる。従って、例えば、ユーザは、画面１に表示中のスライド画像に対して書き込みが終わり、当該スライド画像を画面２へ移動させた場合であって、その後に書き忘れ等に起因して当該スライド画像に再び書き込みを行いたい場合に、スライド画像を移動させることなくそのまま画面２が表示された入力エリア上で、当該スライド画像に再び書き込むことができる。同様に、ユーザは、画面３や画面４へスライド画像を移動させた場合であっても、スライド画像を画面１まで移動させることなく、画面２に移動させれば、所望するスライド画像に再び書き込むことができる。
【００８９】
＜第３実施形態＞
次に、第３実施形態について説明する。図２１は、第３実施形態におけるストローク表示システムのシステム構成図を示す。第３実施形態で用いるディスプレイは、上下多段に配置したディスプレイ３Ａ〜３Ｄの４つであるが、第３実施形態では、画面の割り当てや、画面移動の処理が、第２実施形態とは異なる。また、第３実施形態では、処理手段２４は、電子ペン１から入力エリアに係る座標情報を受信したときのみ当該座標情報の座標系をディスプレイ座標系に変換する。第３実施形態のその他の点は第２実施形態や第２実施形態の変形例２と同様であるので、適宜その説明を省略する。
【００９０】
図２１に示すように、４つのストローク画面としては、下段において左から、ディスプレイ３Ａに画面１、ディスプレイ３Ｂに画面２が設定され、上段において左から、ディスプレイ３Ｃに画面３、ディスプレイ３Ｄに画面４が設定されている。第３実施形態では、ドットパターンが印刷された透明フィルム７の範囲は、少なくともユーザの手が全面に手が届く範囲である画面１（ディスプレイ３Ａ）及び画面２（ディスプレイ３Ｂ）である。なお、ドットパターンが印刷された透明フィルム７の範囲は、ディスプレイ３Ｃ、ディスプレイ３Ｄに設定されてもよい。
【００９１】
処理手段２４は、ディスプレイ３Ａ〜３Ｄに表示するための画面１〜４用の画像信号を生成し、送信手段２７を介して、分配器４へ送信する。ここで、処理手段２４は、画面１に、画面進むマーク５と、画面戻るマーク６が表示されるように、画像信号を生成する。分配器４は、画面１〜４用の画像信号を分配して、それぞれをディスプレイ３Ａ〜３Ｄの受信手段３２Ａ〜３２Ｄへ伝送する。
【００９２】
そして、本第３実施形態では、画面１及び画面２に電子ペン１でストロークを書き込むことができるようにし、画面進むマーク５のタップにより、画面１が画面３へ、、画面２が画面４へ同時に上方移動するようにし、画面１及び画面２に、次２頁分のスライド画像を表示させるか、なければ新規のスライドを生成して表示させるものである。また、画面戻るマーク６のタップにより、画面３が画面１へ、、画面４が画面２へ同時に下方移動するようにし、画面３及び画面４に、前２頁分のスライド画像を表示させるものである。ここで、ディスプレイ３Ａ（画面１）に貼付された透明フィルム７Ａ上の領域のうち、画面進むマーク５及び画面戻るマーク６が表示された透明フィルム７のそれぞれの領域（エリア）を、「画面進むエリア」及び「画面戻るエリア」と呼び、それ以外の、ストロークを入力することができる画面１の透明フィルム７Ａ上の領域を「第１入力エリア」と呼ぶ。また、ディスプレイ３Ｂ（画面２）に貼付された透明フィルム７Ｂ上の領域の領域を「第２入力エリア」と呼ぶ。なお、画面進むマーク５及び画面戻るマーク６は、画面１だけでなく、画面２にも表示させて機能させるようにしてもよい。
【００９３】
図２２は、第３実施形態の記憶手段２５に記憶される、座標定義情報を示すデータ構造である。ただし、第１入力エリアは、画面進むエリア及び画面戻るエリアを除く領域である。図２２（ａ）は、画面１、画面２及びそれらに対応する第１入力エリア、第２入力エリア、並びに、画面移動エリア（画面進むエリア及び画面戻るエリア）のディスプレイ座標系における座標定義情報を示し、図２２（ｂ）、（ｃ）は、ディスプレイ用エリア、第１，第２入力エリア、及び画面移動エリアのドットパターンに関する座標定義情報（ドットパターン座標定義情報）を示す。また、図２２（ｂ）は、キャリブレーション処理前のドットパターン座標定義情報を示し、図２２（ｃ）は、キャリブレーション処理後に更新して記憶されるドットパターン座標定義情報を示す。
【００９４】
第３実施形態のキャリブレーション処理では、処理手段２４は、画面１および画面２についてそれぞれ求めた座標変換関数を用いて、図１２（ａ）に示すディスプレイ座標系の第１，第２入力エリア、画面進むエリア及び画面戻るエリアの座標情報を逆変換して、透明フィルム７Ａ，７Ｂ上のドットパターンにかかる各エリアの座標領域を求め、ドットパターン座標定義情報を図１２（ｂ）に示す内容から図１２（ｃ）に示す内容に更新して記憶手段２５に記憶する。そして、処理手段２４は、図２２（ｃ）に示すドットパターン座標定義情報を参照し、第１，第２入力エリア、画面進むマーク、画面戻るマークの、いずれのエリア、マークへの記入がなされたかを特定することができる。処理手段２４は、電子ペン１より受信した記入情報に含まれる座標情報から、第１入力エリアへの記入であると判定した場合は画面１に係る座標変換関数を用いて、ドットパターンに係る座標情報をディスプレイ座標系の座標情報に変換し、第２入力エリアへの記入であると判定した場合は画面２に係る座標変換関数を用いて、ドットパターンに係る座標情報をディスプレイ座標系の座標情報に変換し、該当する画面１または画面２についてストローク描画処理を実行する。
【００９５】
［処理フロー］
次に、第３実施形態のストローク表示システムによる処理フローについて説明する。図２３に示す処理フローは、電子ペン１により記入情報が生成されるごとに繰り返し実行される。
【００９６】
ユーザが、入力エリアに対し電子ペン１で文字等の記入又はタップをすると、電子ペン１は、ペンダウン時には、ペンダウン情報及びペンＩＤが関連付けられた記入情報をコンピュータ装置２へ送信する。また、電子ペン１は、ストロークの記入中では、ストロークに沿ってドットパターンが撮像されて演算された座標情報を含む座標属性情報とペンＩＤとが関連付けられた記入情報をコンピュータ装置２へ送信する。そして、電子ペン１は、ペンアップ時には、ペンアップ情報及びペンＩＤが関連付けられた記入情報をコンピュータ装置２へ送信する（ステップＳ１０１Ｂ）。
【００９７】
コンピュータ装置２では、受信手段２２が、電子ペン１から送信された記入情報を受信すると、処理手段２４は、記憶手段２５に、その記入情報をペンＩＤ毎に記憶させる（ステップＳ２０１Ｂ）。次に、処理手段２４は、その記入情報に含まれる座標情報に基づいて、図２２（ｃ）に示すドットパターン座標定義情報を参照し、電子ペン１により記入されたエリアを認識する（ステップＳ２０３Ｂ）。
【００９８】
次に、処理手段２４は、ステップＳ２０３Ｂで認識したエリアが、画面進むエリアであるか否か、判定する（ステップＳ２０４Ｂ）。そして、画面進むエリアへの記入であると判定した場合（ステップＳ２０４Ｂ；Ｙｅｓ）、処理手段２４は、画面２に最新ページ番号のスライド画像を表示しているか否か判定する（ステップＳ２０５Ｂ）。具体的には、処理手段２４は、記憶手段２５に記憶した最新ページ番号と、画面２に表示中のスライド画像に付されたページ番号とを照合して、一致するか否か判定する。そして、当該ページ番号が最新ページ番号と一致して、画面２に最新ページ番号のスライド画像を表示していると判定した場合（ステップＳ２０５Ｂ；Ｙｅｓ）、即ち、当該ページ番号の次２頁分のページ番号に対応するスライド画像であって、画面１及び画面２に移動するスライド画像が存在しない場合、処理手段２４は、新規のスライド画像を２頁分生成し、それぞれを画面１及び画面２に表示する（ステップＳ２０６Ｂ）。具体的には、処理手段２４は、記憶手段２５に記憶されたデザインテンプレートを雛型にして最新ページ番号より１だけ大きいページ番号を付したスライド画像と、２だけ大きいページ番号を付したスライド画像を新たに生成し、新規のスライド画像および更新した最新ページ番号を記憶手段２５に記憶させる。
【００９９】
そして、処理手段２４は、スライド画像を、画面番号が２だけ大きくなる方向へ移動させて、画面移動後の画面をディスプレイ３Ｃ及びディスプレイ３Ｄに表示させる（ステップＳ２０７Ｂ）。具体的には、処理手段２４は、同時に、ディスプレイ３Ａの画面１に表示中であったスライド画像を、ディスプレイ３Ｃの画面３に移動して表示させ、画面１に表示していたスライド画像より２だけ大きいページ番号に対応するスライド画像を、画面１に移動して表示させ、また、ディスプレイ３Ｂの画面２に表示中であったスライド画像を、ディスプレイ３Ｄの画面４に移動して表示させ、画面２に表示していたスライド画像より２だけ大きいページ番号に対応するスライド画像を、画面２に移動して表示させる。さらに、処理手段２４は、画面３，４に既にスライド画像を表示していた場合、それら画像を、画面外に移動させる。一方、ステップＳ２０５Ｂにおいて、画面２に表示しているスライド画像が最新ページ番号のスライド画像でないと判定した場合（ステップＳ２０５Ｂ；Ｎｏ）、即ち、画面１ないし画面２に移動するスライド画像が存在する場合、処理手段２４は、ステップＳ２０７Ｂの処理に移行して、スライド画像の表示を画面番号が２だけ大きくなるストローク画面の方向へ移動して表示させる。
【０１００】
一方、ステップＳ２０４Ｂにおいて、画面進むエリアへの記入でないと判定した場合（ステップＳ２０４Ｂ；Ｎｏ）、処理手段２４は、ステップＳ２０３Ｂで認識したエリアが、画面戻るエリアであるか否か判定する（ステップＳ２０８Ｂ）。この判定により、画面戻るエリアへの記入であると判定した場合（ステップＳ２０８Ｂ；Ｙｅｓ）、処理手段２４は、画面１にページ番号「Ｐ−１」のスライド画像を表示しているか否か判定する（ステップＳ２０９Ｂ）。そして、画面１にページ番号「Ｐ−１」のスライド画像を表示していないと判定した場合（ステップＳ２０９Ｂ；Ｎｏ）、即ち、画面１に表示中であるスライド画像に付されたページ番号の２つ前のページ番号に対応するスライド画像が存在して、画面３に表示中である場合、処理手段２４は、画面番号が２だけ小さくなるストローク画面の方向へスライド画像の表示を移動させる（ステップＳ２１０Ｂ）。具体的には、処理手段２４は、画面３に表示中のスライド画像を画面１に移動して表示させ、画面４に表示中のスライド画像を画面２に移動して表示させ、画面１及び画面２に表示していたスライド画像を、画面外に移動させる。また、処理手段２４は、画面３に表示中のスライド画像の２つ前のページ番号に対応するスライド画像が存在する場合、当該スライド画像を画面３に移動して表示させる。また、処理手段２４は、画面４に表示中のスライド画像の２つ前のページ番号に対応するスライド画像が存在する場合、当該スライド画像を画面４に移動して表示させる。一方、画面１にページ番号「Ｐ−１」のスライド画像を表示していると判定した場合（ステップＳ２０９Ｂ；Ｙｅｓ）、即ち、画面３にはスライド画像が表示されておらず画面１に移動するスライド画像が存在しない場合、処理手段２４は、フローチャートの処理を終了する。この場合、処理手段２４は、ページ番号「Ｐ−１」のスライド画像を画面１に引き続き表示させ、ページ番号「Ｐ−２」のスライド画像を画面２に引き続き表示させる。
る。
【０１０１】
一方、ステップＳ２０８Ｂにおいて、画面戻るエリアへの記入でないと判定した場合（ステップＳ２０８Ｂ；Ｎｏ）、処理手段２４は、ステップＳ２０３Ｂで認識したエリアが入力エリア（第１入力エリアまたは第２入力エリア）であるか否か判定する（ステップＳ２１１Ｂ）。この判定において、入力エリア（第１入力エリアまたは第２入力エリア）への記入であると判定した場合（ステップＳ２１１Ｂ；Ｙｅｓ）、処理手段２４は、入力エリア（第１入力エリアまたは第２入力エリア）に対応する画面１または画面２に係る座標変換関数を用いて、ドットパターンに係る座標情報をディスプレイ座標系の座標情報に変換する（ステップＳ２１２Ｂ）。そして、処理手段２４は、ストローク描画処理を行う（ステップＳ２１３Ｂ）。具体的には、処理手段２４は、変換後の座標情報に基づいて、画面１または画面２に表示中であって電子ペン１による記入対象となるスライド画像に、記入されたストロークを重畳して描画し、ディスプレイ３Ａないしディスプレイ３Ｂによる表示を更新させると共に、描画後のスライド画像を記憶手段２５に更新して記憶させる。一方、入力エリアへの記入でないと判定した場合（ステップＳ２１１Ｂ；Ｎｏ）、即ち、画面移動エリアへの記入でもなく入力エリアへの記入でもない場合、処理手段２４は、フローチャートの処理を終了する。
【０１０２】
［表示例］
次に、第３実施形態において、ディスプレイ３Ａ〜３Ｄに表示される画面の具体的な表示例について、図２３のフローチャート及び図２４〜図２７を参照して説明する。
【０１０３】
図２４は、画面１にページ番号「Ｐ−１」、画面２にページ番号「Ｐ−２」の未記入状態のスライド画像が表示された後、ディスプレイ３Ａ，３Ｂそれぞれに貼付された透明フィルム７Ａ，７Ｂ上の入力エリアに電子ペン１により任意の書き込みがなされた場合の表示例を示す。ここで、初期状態から図２４に示す状態に遷移するまでの過程について簡単に説明する。まず、処理手段２４は、電子ペン１より受信した記入情報に含まれる座標情報に基づいて、記憶手段２５に記憶されたドットパターン座標定義情報（図２２（ｃ）参照）を参照し、記入されたエリアが入力エリア（第１入力エリアないしは第２入力エリア）であることを特定する。そして、処理手段２４は、ストローク描画処理によって、電子ペン１による記入対象である画面１に表示中のページ番号「Ｐ−１」のスライド画像、ないしは画面２に表示中のページ番号「Ｐ−２」のスライド画像に、記入されたストロークを重畳して描画し、表示を更新する（ステップＳ２１３Ｂ参照）。
【０１０４】
図２５は、図２４に示す状態から画面進むエリア（画面進むマーク５の表示領域）が電子ペン１によりタップされた後、入力エリアに書き込みがなされた場合のディスプレイ３Ａ〜３Ｄの表示例を示す。図２４に示す状態で、電子ペン１により画面進むエリアがタップされた場合、処理手段２４は、記入されたエリアが画面進むエリアであり（ステップＳ２０４Ｂ；Ｙｅｓ参照）、画面２に表示中のスライド画像のページ番号が最新ページ番号「Ｐ−２」と一致することから（ステップＳ２０５Ｂ；Ｙｅｓ参照）、ページ番号「Ｐ−３」「Ｐ−４」の未記入状態のスライド画像を新規に生成して、記憶手段２５に新規スライド画像を記憶させると共に最新ページ番号を「Ｐ−４」と更新記憶させる（ステップＳ２０６Ｂ参照）。そして、処理手段２４は、図２５に示すように、画面番号が２だけ大きくなるストローク画面の方向に、即ち、画面１に表示中のページ番号「Ｐ−１」のスライド画像は、画面１から画面３へ表示する位置を移動させ、画面２に表示中のページ番号「Ｐ−２」のスライド画像は、画面２から画面４へ表示する位置を移動させる。さらに、処理手段２４は、画面１にはページ番号「Ｐ−３」を付した新規に生成したスライド画像を配置させ、画面２にはページ番号「Ｐ−４」を付した新規に生成したスライド画像を配置させて、画面移動後の画像を各ディスプレイ３Ａ〜３Ｄに表示させる（ステップＳ２０７Ｂ参照）。その後、処理手段２４は、ページ番号「Ｐ−３」，「Ｐ−４」のスライド画像が表示されている入力エリア（第１入力エリアないし第２入力エリア）への電子ペン１による書き込みに対し、ストローク描画処理によって、電子ペン１による記入対象であるページ番号「Ｐ−３」ないし「Ｐ−４」のスライド画像に、記入されたストロークを重畳して描画し、表示を更新する（ステップＳ２１３Ｂ参照）。
【０１０５】
図２６は、図２５に示す状態からさらに画面進むエリアが電子ペン１によりタップされた後、入力エリアに書き込みがなされた場合のディスプレイ３Ａ〜３Ｄの表示例を示す。図２５に示す状態から、電子ペン１により画面進むエリアがタップされた場合、処理手段２４は、記入されたエリアが画面進むエリアであり（ステップＳ２０４Ｂ；Ｙｅｓ参照）、画面２に表示中のスライド画像のページ番号が最新ページ番号「Ｐ−４」と一致することから（ステップＳ２０５Ｂ；Ｙｅｓ参照）、ページ番号「Ｐ−５」，「Ｐ−６」の未記入状態のスライド画像を新規に生成して、記憶手段２５に新規スライド画像を記憶させると共に最新ページ番号を更新記憶させる（ステップＳ２０６Ｂ参照）。そして、処理手段２４は、図２６に示すように、画面番号が２だけ大きくなるストローク画面の方向へ、表示中のスライド画像を移動させる（ステップＳ２０７Ｂ参照）。即ち、処理手段２４は、画面１に表示中のページ番号「Ｐ−３」のスライド画像を画面１から画面３へ移動させ、画面２に表示中のページ番号「Ｐ−４」のスライド画像を画面２から画面４へ移動させ、画面３，４に表示中のページ番号「Ｐ−１」，「Ｐ−２」のスライド画像をそれぞれ画面外に移動させるとともに、画面１，２にはページ番号「Ｐ−５」，「Ｐ−６」を付した新規のスライド画像を配置させて、画面移動後の画像を各ディスプレイ３Ａ〜３Ｄに表示させる。その後、処理手段２４は、ページ番号「Ｐ−５」，「Ｐ−６」のスライド画像が表示されている入力エリア（第１入力エリアないし第２入力エリア）への電子ペン１による書き込みに対し、ストローク描画処理によって、電子ペン１による記入対象であるページ番号「Ｐ−５」ないし「Ｐ−６」のスライド画像に、記入されたストロークを重畳して描画し、表示を更新する（ステップＳ２１３Ｂ参照）。
【０１０６】
図２７は、図２６に示す状態から画面戻るエリア（画面戻るマーク６の表示領域）が電子ペン１によりタップされた後のディスプレイ３Ａ〜３Ｄの表示例を示す。図２６に示す状態から、電子ペン１により画面戻るエリアに入力がなされた場合、処理手段２４は、記入されたエリアが画面戻るエリアであり（ステップＳ２０８Ｂ；Ｙｅｓ参照）、画面１にページ番号「Ｐ−１」のスライド画像を表示していないことから（ステップＳ２０９Ｂ；Ｎｏ参照）、図２７に示すように、画面番号が２つ小さくなるストローク画面の方向へ、表示中のスライド画像を移動させる（ステップＳ２１０Ｂ参照）。即ち、処理手段２４は、画面３に表示中のページ番号「Ｐ−３」のスライド画像を画面３から画面１へ移動させ、画面４に表示中のページ番号「Ｐ−４」のスライド画像を画面４から画面２へ移動させ、画面３に表示されているスライド画像より２つ前のページ番号である「Ｐ−１」のスライド画像を画面１に表示させ、画面４に表示されているスライド画像より２つ前のページ番号である「Ｐ−２」のスライド画像を画面４に表示させるとともに、画面１，２に表示中のページ番号「Ｐ−３」，「Ｐ−４」のスライド画像を画面外に移動させて、画面移動後の画像を、ディスプレイ３Ａ〜３Ｄに表示させる。
【０１０７】
なお、図２７に示す状態からさらに画面戻るエリアが電子ペン１によりタップされた場合には、処理手段２４は、ページ番号「Ｐ−１」「Ｐ−２」のスライド画像をそれぞれ画面１，２に移動させると共に、ページ番号「Ｐ−３」，「Ｐ−４」のスライド画像を画面外に移動させる。
【０１０８】
［第３実施形態のストローク表示システムによる作用効果］
第３実施形態のストローク表示システムによれば、コンピュータ装置２は、ユーザの手が届く範囲に表示される画面１，２と、その上に隣接して配置される画面３，４との４つのストローク画面を表示すると共に、電子ペン１によりディスプレイ３Ａ，３Ｂ上の透明フィルム７Ａ，７Ｂの第１，第２入力エリアに記入されるストロークを画面１，２の該当する位置にリアルタイムで描画して表示する。また、コンピュータ装置２は、ディスプレイ３Ａ上の透明フィルム７Ａ上の画面移動エリアへのタップに基づき、画面１及び画面２に表示するスライド画像を上方移動させる。従って、例えば、ユーザは、画面１や画面２上で表示中のスライド画像にストロークを記入するスペースがなくなった場合に、画面１及び画面２上に新規のスライド画像を表示させて、ユーザの手が届く範囲で新しい書き込みをできるようにすると共に、記入済みのスライド画像を、ユーザの手は届かないが遠くから視覚されやすい画面３，４に引き続き表示させることができる。このように、第３実施形態のストローク表示システムは、上下に配列されたディスプレイ３Ａ〜３Ｄを有効活用することができる。よって、ストローク表示システムは、例えば大教室や会議室に好適に適用される。
【０１０９】
［第３実施形態の変形例］
次に、第３実施形態の変形例について説明する。以下の変形例は、第１実施形態の変形例と同様であるが、任意に組み合わせて上述の第３実施形態に適用することができる。
【０１１０】
（変形例）
第３実施形態では、画面移動マークは、画面１に表示されていたが、これに代えて、画面移動マークは、所定の用紙にドットパターンと重畳して印刷されてもよい。この場合、画面移動マークとドットパターンを印刷した指示用紙（指示媒体）は、ディスプレイ３Ａ等に貼り付けられてもよく、ユーザに把持された状態で使用されてもよい。図２８は、変形例で、記憶手段２５に記憶される座標定義情報を示すデータ構造である。図２８（ａ）は、画面１、画面２及びそれらに対応する第１入力エリア、第２入力エリアのディスプレイ座標系における座標定義情報を示し、図２８（ｂ）、（ｃ）は、ディスプレイ用エリア及び第１，第２入力エリア、並びに、指示用紙の画面移動マークが印刷された領域に対応する画面移動エリア（画面進むエリア及び画面戻るエリア）、のドットパターンに関する座標定義情報（ドットパターン座標定義情報）を示す。また、図２８（ｂ）はキャリブレーション前のドットパターン座標定義情報を示し、図２８（ｃ）はキャリブレーション処理後に更新して記憶されるドットパターン座標定義情報を示す。この場合、指示用紙に印刷されるドットパターンは、カーボンなどの赤外線を吸収するインクで印刷するとよい。そして、電子ペン１は、透明フィルム７からのドットパターンの読み取りと、指示用紙からのドットパターンの読み取りとの両方を行うことができるよう、ドットパターンを撮像した画像の閾値設定、反転処理機能などを有するとよい。
【０１１１】
変形例のキャリブレーション処理では、処理手段２４は、画面１および画面２についてそれぞれ求めた座標変換関数を用いて、図２８（ａ）に示すディスプレイ座標系の第１，第２入力エリアの座標情報を逆変換して、透明フィルム７Ａ，７Ｂ上のドットパターンにかかる第１，第２入力エリアの座標領域を求め、ドットパターン座標定義情報を図２８（ｂ）に示す内容から図２８（ｃ）に示す内容に更新して記憶手段２５に記憶する。変形例の処理フローは、第３実施形態の処理フローと同様に、ドットパターンにかかる座標情報から記入されたエリアを認識し、入力エリアへの記入である場合に座標変換を行う。
【０１１２】
（その他の変形例）
また、第１実施形態の変形例３〜５と同様の変形を、第３実施形態に施しても良い。
【符号の説明】
【０１１３】
１…電子ペン
２…コンピュータ装置
３Ａ〜３Ｄ…ディスプレイ
４…分配器
５…画面進むマーク
６…画面戻るマーク
７，７Ａ，７Ｂ…透明フィルム
２１…入力手段
２２…受信手段
２４…処理手段
２５…記憶手段
２６…表示手段
２７…送信手段
３２Ａ〜３２Ｄ…受信手段
【図２】
2012073819.tif 000003
【図３】
2012073819.tif 000004
【図４】
2012073819.tif 000005
【図５】
2012073819.tif 000006
【図６】
2012073819.tif 000007
【図７】
2012073819.tif 000008
【図１２】
2012073819.tif 000009
【図１３】
2012073819.tif 000010
【図１５】
2012073819.tif 000011
【図２２】
2012073819.tif 000012
【図２３】
2012073819.tif 000013
【図２８】
2012073819.tif 000014
【図１】
2012073819.tif 000015
【図８】
2012073819.tif 000016
【図９】
2012073819.tif 000017
【図１０】
2012073819.tif 000018
【図１１】
2012073819.tif 000019
【図１４】
2012073819.tif 000020
【図１６】
2012073819.tif 000021
【図１７】
2012073819.tif 000022
【図１８】
2012073819.tif 000023
【図１９】
2012073819.tif 000024
【図２０】
2012073819.tif 000025
【図２１】
2012073819.tif 000026
【図２４】
2012073819.tif 000027
【図２５】
2012073819.tif 000028
【図２６】
2012073819.tif 000029
【図２７】
2012073819.tif 000030